(57)【要約】  形状適合性創傷ドレッシングシステムが提供される。本システムは、創傷ドレッシングとドレッシング支持層と、を含む。創傷ドレッシングは、２つの主表面を有する裏材と、第１及び第２の側縁部と、一方の主表面に配置された粘着剤と、他方の主表面に取り外し可能に取り付けられたドレッシング支持層と、を含む。ドレッシング支持層は、並置された第１及び第２のセクションを含み、それらの間には、間隙が画定される。各セクションは、内側部分と、そこから側縁部に向かって延びる少なくとも４つのスポークと、を含む。これらの少なくとも４つのスポークは、２つの外側スポークと少なくとも２つの離間した内側スポークと、を含む。各セクションの少なくとも４つのスポークのうちの少なくとも２つは、側縁部を超えて延びて、外周支持層タブを形成する。
2017500970.tif 000002
【特許請求の範囲】
【請求項１】
創傷ドレッシングシステムであって、
第１の端部と、該第１の端部の反対側の第２の端部と、該第１の端部から該第２の端部へと延びる長手方向軸線と、を有する、創傷ドレッシングであって、該創傷ドレッシングは、
弾性フィルム裏材であって、該裏材は、第１の主表面と、該第１の主表面の反対側の第２の主表面と、第１及び第２の側縁部を含む外周部と、を含み、該側縁部は、該第１の端部から該第２の端部へと延びる、弾性フィルム裏材と、
該第１の主表面上に配置される粘着剤と、を含む、創傷ドレッシングと、
該裏材の該第２の主表面上に取り外し可能に取り付けられる、並置された第１及び第２のセクションを含むドレッシング支持層であって、該並置された第１及び第２のセクションは、該セクション間に間隙を画定し、該間隙は、実質的に該第１の端部から該第２の端部へと延びる、ドレッシング支持層と、を含み、
各セクションは、該第１の端部周辺から該第２の端部周辺に延びる内側部分と、そこから側縁部に向かって延びる少なくとも４つのスポークと、を含み、該少なくとも４つのスポークは、該第１の端部において、実質的に該外周部へと延びる第１の外側スポークと、該第２の端部において、実質的に外周部へと延びる第２の外側スポークと、それらの間に配置された少なくとも２つの離間した内側スポークと、を含み、
各セクションの該少なくとも４つのスポークのうちの少なくとも２つは、該側縁部を超えて延びて、外周支持層タブを形成し、
該ドレッシング支持層は、該裏材の複数の被覆部分及び非被覆部分を画定する、創傷ドレッシングシステム。
【請求項２】
前記第１及び第２の側縁部は、前記長手方向軸線に実質的に平行に延びる、請求項１に記載の創傷ドレッシング。
【請求項３】
前記複数の非被覆部分は、前記第１の側縁部に沿った少なくとも２つの非被覆部分と、前記第２の側縁部に沿った少なくとも２つの非被覆部分と、を含む、請求項１又は２に記載の創傷ドレッシングシステム。
【請求項４】
前記ドレッシング支持層のうちの少なくとも１つのセクションのうちの少なくとも１つの外側スポークは、前記第１の側縁部又は前記第２の側縁部の一部分に沿って延びる、請求項１〜３のいずれか一項に記載の創傷ドレッシング。
【請求項５】
前記第１のセクションの前記内側スポークのうちの少なくとも１つは、前記第２のセクションの前記内側スポークのうちの１つの実質的に反対方向に、前記第１の側縁部に向かって延びる、請求項１〜４のいずれか一項に記載の創傷ドレッシングシステム。
【請求項６】
前記セクションのうちの少なくとも１つの前記第１の外側スポークは、前記第１の端部及び／又は前記第２の端部において、前記裏材の前記外周部の一部分に沿って延びる、請求項１〜５のいずれか一項に記載の創傷ドレッシングシステム。
【請求項７】
前記第１の外側スポークは、前記第１の端部において、前記外周部の少なくとも２０％に沿って延び、かつ／又は前記第２の外側スポークは、前記第２の端部において、前記外周部の少なくとも２０％に沿って延びる、請求項１〜６のいずれか一項に記載の創傷ドレッシングシステム。
【請求項８】
前記ドレッシングの前記第１の端部における、前記第１のセクションの前記外側スポークは、外周支持層タブを含み、前記第１のセクションの他のスポークのそれぞれは、前記第１の端部から前記第２の端部へと順に、外周支持層タブを有さないスポークと外周支持層タブを有するスポークとが交互になっている、請求項１〜７のいずれか一項に記載の創傷ドレッシングシステム。
【請求項９】
前記ドレッシング支持層の各セクションは、３つの内側スポークを含む、請求項１〜８のいずれか一項に記載の創傷ドレッシングシステム。
【請求項１０】
各セクションの前記内側スポークのうちの少なくとも１つは、前記長手方向軸線に垂直である線に実質的に沿って延びる、請求項１〜９のいずれか一項に記載の創傷ドレッシングシステム。
【請求項１１】
各セクションの複数の内側スポークは、それぞれ前記長手方向軸線に実質的に垂直である線に沿って延びる、請求項１〜１０のいずれか一項に記載の創傷ドレッシングシステム。
【請求項１２】
前記第１のセクションの前記内側スポークのうちの少なくとも１つ、及びその反対方向の、前記第２のセクションにおいて対応する内側スポークは、視認可能な目印をそれぞれ含む、請求項５又はその従属請求項のいずれか一項に記載の創傷ドレッシングシステム。
【請求項１３】
前記複数の非被覆部分は、第１の端部又は前記第２の端部における、前記外周部に沿った非被覆部分を含む、請求項１〜１２のいずれか一項に記載の創傷ドレッシングシステム。
【請求項１４】
前記複数の非被覆部分は、前記間隙の一部を形成する非被覆部分を含む、請求項１〜１３のいずれか一項に記載の創傷ドレッシング。
【請求項１５】
前記ドレッシング支持層は、前記裏材と重なり、かつ前記内側部分から離間したブリッジ部材を含み、該ブリッジ部材は、第１のスポークを該第１のスポークに隣接する第２のスポークに連結し、該第１のスポーク、該第２のスポーク、該内側部分及び該ブリッジ部材は、前記裏材の非被覆部分を画定する、請求項１〜１４のいずれか一項に記載の創傷ドレッシングシステム。
【請求項１６】
前記ドレッシング支持層は、前記第１のセクションの第１の内側スポークと、前記第２のセクションの第２の内側スポークを含み、
該第１の内側スポーク及び該第２の内側スポークはいずれも、目印の線を含み、
該第１の内側スポークは、該第２の内側スポークと反対方向に、前記長手方向軸線から離れるように延び、
該目印の線によって画定された線に沿って前記システムを切断することにより、ほぼ等しい寸法のより小さい創傷ドレッシングシステムが２つ作製される、請求項１２又はその従属請求項のいずれか一項に記載の創傷ドレッシングシステム。
【請求項１７】
前記裏材の前記第２の主表面上に接着防止領域を更に含み、前記支持層は、該接着防止領域において、前記裏材の前記第２の主表面に接着されない、請求項１〜１６のいずれか一項に記載の創傷ドレッシングシステム。
【請求項１８】
前記間隙は、ドレッシング支持層の対称軸を形成する、請求項１〜１７のいずれか一項に記載の創傷ドレッシングシステム。
【請求項１９】
請求項１〜１８のいずれか一項に記載の創傷ドレッシングシステムを分割することであって、前記創傷ドレッシングシステムを分割することは、前記間隙によって実質的に画定される線に沿って前記創傷ドレッシングを分割して、複数の切り取られた創傷ドレッシングシステムを作製することを含み、各切り取られた創傷ドレッシングシステムは、切り取られた創傷ドレッシングと、少なくとも１つの外周支持層タブを含む、分割することと、
該切り取られた創傷ドレッシングシステムのうちの１つの該切り取られた創傷ドレッシングを処置部位に適用することと、を含む、方法。
【請求項２０】
少なくとも１つの視認可能な目印に沿って前記複数の切り取られた創傷ドレッシングシステムのうちの１つを分割して、２回切り取られた創傷ドレッシングシステムを作製することを更に含み、該２回切り取られた創傷ドレッシングシステムは、２回切り取られた創傷ドレッシングと、少なくとも１つの外周支持層タブを含み、前記切り取られた創傷ドレッシングシステムのうちの１つの前記切り取られた創傷ドレッシングを適用することは、該２回切り取られた創傷ドレッシングシステムのうちの１つの該２回切り取られた創傷ドレッシングを適用することを含む、請求項１２又はその従属請求項のいずれか一項に従属する場合の請求項１８に記載の方法。
【発明の詳細な説明】
【技術分野】
【０００１】
（関連出願の相互参照）
本出願は、２０１３年１２月３１日に出願された米国特許仮出願第６１／９２２，３６０号の優先権を主張するものであり、その開示全体が参照により本明細書に組み込まれる。
【背景技術】
【０００２】
透明なフィルムドレッシングは、汚染流体及び細菌に対するバリアとしての機能を果たすと同時に、湿潤環境において治癒を促進するので、創傷を覆う保護層として広く使用されている。このフィルムは、そのバリア特性のため、外科用ドレープとしても使用される。フィルムドレッシングも、陰圧創傷療法でドレープとして使用することで、真空の適用及び管理が可能になり、創傷治癒が改善することが明らかになっている。上記説明にあてはまるドレッシング及びドレープは、ＴＥＧＡＤＥＲＭ（３Ｍ  Ｃｏｍｐａｎｙ，Ｓｔ．Ｐａｕｌ，ＭＮ）、ＢＩＯＣＬＵＳＩＶＥ（Ｊｏｈｎｓｏｎ  ＆  Ｊｏｈｎｓｏｎ  Ｃｏｍｐａｎｙ，Ｎｅｗ  Ｂｒｕｎｓｗｉｃｋ，Ｎ．Ｊ．）、ＯＰ−ＳＩＴＥ（Ｔ．Ｊ．Ｓｍｉｔｈ  ＆  Ｎｅｐｈｅｗ，Ｈｕｌｌ，Ｅｎｇｌａｎｄ）及びＵＮＩＰＬＥＸ（Ｈｏｗ  Ｍｅｄｉｃａ，Ｌａｒｇｏ，ＦＬ）などのいくつかの商品名で入手可能である。
【０００３】
加えて、ドレッシングを特定の身体部分又は領域（例えば、踵、肘窩横紋、肩、仙骨領域）に適用するために、様々な特定の形状の透明なフィルムドレッシング及び対応する送達システムが開発されてきた。
【０００４】
これらのドレッシング及びドレープ内に使用される高分子フィルムは、概して、形状適合性であり、すなわち、本フィルムは極めて薄く、柔軟性があり、かつしなやかである。これらは、典型的には、粘着剤でコーティングされたフィルム表面を覆う剥離可能な保護ライナーと共に供給される。ライナーを取り外すと、粘着剤でコーティングされたフィルムは、しわが寄ってそれ自体に付着する傾向があり、患者の皮膚へのドレッシングの円滑な無菌での適用が妨げられる。この問題に対処するため、様々な送達システムが提案されている。
【発明の概要】
【課題を解決するための手段】
【０００５】
本開示は、概ね、治癒する間に創傷部位を微生物汚染又は他の妨害から保護するため、又は創傷への真空の適用及び管理が可能になるように処置部位に適用される、形状適合性創傷ドレッシングに関する。特に、本開示は、薄い、弾性創傷ドレッシング、及びそれに取り外し可能に接着される担体構造体（例えば、ドレッシング支持層）に関し、この担体構造体により、ドレッシングの処置部位への適用が容易になる。この独創的な創傷ドレッシングシステムは、比較的広く、起伏の大きい処置部位に適用することに適合されているばかりでなく、比較的狭い、起伏のある創傷部位に適用するにあたって必要な全ての特徴を有する、複数の切り取られた創傷ドレッシングシステムを得るために、既定の線に沿って分割されることにも適合されている。
【０００６】
一態様において、本開示は、創傷ドレッシングシステムを提供する。本創傷ドレッシングシステムは、第１の端部と、第１の端部の反対側の第２の端部と、第１の端部から第２の端部へと延びる長手方向軸線と、を有する、創傷ドレッシングと、ドレッシング支持層と、を含むことができる。創傷ドレッシングは、弾性フィルム裏材と、その上に配置された粘着剤を含むことができる。裏材は、第１の主表面と、第１の主表面の反対側の第２の主表面と、第１及び第２の側縁部を含む外周部と、を含むことができる。側縁部は、第１の端部から第２の端部へと延びる。粘着剤は、第１の主表面上に配置される。ドレッシング支持層は、裏材の第２の主表面上に取り外し可能に取り付けられる、並置された第１及び第２のセクションを含んでいてもよく、並置された第１及び第２のセクションは、これらのセクション間に間隙を画定する。間隙は、実質的に第１の端部から第２の端部へと延びていてよい。各セクションは、第１の端部周辺から第２の端部周辺に延びる内側部分と、そこから側縁部に向かって延びる少なくとも４つのスポークと、を含む。これらの少なくとも４つのスポークは、第１の端部において、実質的に外周部へと延びる第１の外側スポークと、第２の端部において、実質的に外周部へと延びる第２の外側スポークと、それらの間に配置された少なくとも２つの離間した内側スポークと、を含む。各セクションの少なくとも４つのスポークのうちの少なくとも２つは、側縁部を超えて延びて、外周支持層タブを形成する。ドレッシング支持層は、裏材の複数の被覆部分及び非被覆部分を画定する。
【０００７】
上記の任意の実施形態において、第１及び第２の側縁部は、長手方向軸線に実質的に平行に延びていてよい。上記実施形態のいずれかにおいて、第１のセクションの内側スポークのうちの少なくとも１つは、第２のセクションの内側スポークのうちの１つの実質的に反対方向に、第１の側縁部に向かって延びる。これらの任意の実施形態において、第１のセクションの内側スポークのうちの少なくとも１つ、及びその反対方向の、第２のセクションにおいて対応する内側スポークは、視認可能な目印をそれぞれ含む。
【０００８】
別の態様において、本開示は方法を提供する。本方法は、前記実施形態のいずれか１つに記載の創傷ドレッシングシステムを分割することを含んでいてよく、ここで、第１のセクションの内側スポークのうちの少なくとも１つは、第２のセクションの内側スポークのうちの１つの実質的に反対方向に、第１の側縁部に向かって延び、第１のセクションの内側スポークのうちの少なくとも１つ、及びその反対方向の、第２のセクションにおいて対応する内側スポークは、視認可能な目印をそれぞれ含む。創傷ドレッシングシステムを分割することは、間隙によって実質的に画定される線に沿って創傷ドレッシングを分割して、複数の切り取られた創傷ドレッシングシステムを作製することを含み、各切り取られた創傷ドレッシングシステムは、切り取られた創傷ドレッシングと、少なくとも１つの外周支持層タブを含む。本方法は、切り取られた創傷ドレッシングシステムのうちの１つの切り取られた創傷ドレッシングを処置部位に適用することを更に含んでいてもよい。
【０００９】
別の態様において、本開示は方法を提供する。本方法は、前記実施形態のいずれか１つに記載の創傷ドレッシングシステムを分割することを含んでいてよく、ここで、第１のセクションの内側スポークのうちの少なくとも１つは、第２のセクションの内側スポークのうちの１つの実質的に反対方向に、第２の側縁部に向かって延び、第１のセクションの内側スポークのうちの少なくとも１つ、及びその反対方向の、第２のセクションにおいて対応する内側スポークは、視認可能な目印をそれぞれ含む。創傷ドレッシングを分割することは、任意の２つ以上の視認可能な目印に沿って創傷ドレッシングを分割して、複数の切り取られた創傷ドレッシングシステムを作製することを含み、各切り取られた創傷ドレッシングシステムは、切り取られた創傷ドレッシングと、少なくとも１つの外周支持層タブを含む。本方法は、切り取られた創傷ドレッシングシステムのうちの１つの切り取られた創傷ドレッシングを処置部位に適用することを更に含んでいてもよい。
【００１０】
「好ましい」及び「好ましくは」という語は、特定の状況下で特定の利益をもたらし得る本発明の実施形態を指す。しかしながら、同一又は他の環境下において、他の実施形態が好ましい場合もある。更に、１つ又は２つ以上の好ましい実施形態の記載は、他の実施形態が有用でないことを示すものではなく、また、本発明の範囲内から他の実施形態を排除することを意図するものでもない。
【００１１】
用語「含む」及びこの変形は、特許請求の範囲及び明細書においてこれらの用語が現れる箇所で制限する意味を持たない。
【００１２】
本明細書で使用するとき、「ａ」、「ａｎ」、「ｔｈｅ」、「少なくとも１つの」及び「１つ又は２つ以上の」は、同じ意味で使用される。したがって、例えば、タブ（a tab）は、「１つ又は２つ以上の」タブを意味するように、解釈され得る。
【００１３】
用語「及び／又は」は、列挙した要素のうちの１つ若しくは全て、又は２つ以上の列挙した要素の任意の組み合わせを意味する。
【００１４】
また、本明細書において、端点による数の範囲の記載は、その範囲内に包含される全ての数が含まれる（例えば、１〜５は、１、１．５、２、２．７５、３、３．８０、４、５などを含む）。
【００１５】
本発明の上記の「発明の概要」は、本発明の開示された各実施形態又は全ての実装を説明することを意図したものではない。以下の説明は、例示的実施形態をより詳細に例証する。本出願の全体を通じていくつかの箇所で、例の一覧によって指針が与えられるが、これらの例は様々な組み合わせで使用することができる。いずれの場合も、記載される一覧は、あくまで代表的な群としてのみの役割を果たすものであって、排他的な一覧として解釈するべきではない。
【００１６】
これらの実施形態及び他の実施形態の更なる詳細を、添付の図面及び以下の説明文に記載する。他の特徴、目的、及び利点は、その説明と図面、及び「特許請求の範囲」から明らかとなろう。
【図面の簡単な説明】
【００１７】
【図１】本開示に係る創傷ドレッシングと、ドレッシング支持層を含む創傷ドレッシングシステムの一実施形態の平面図である。
【図２】裏材及びドレッシング支持層の特定の特徴を示す図１の創傷ドレッシングシステムの平面図である。
【図３】図１及び図２の創傷ドレッシングシステムの側面図である。
【図４】図１及び図２の創傷ドレッシングシステムの底面図である。
【図５】創傷ドレッシングが複数の吸収構造体を更に含み、ドレッシング支持層は、吸収構造体のいずれの上にも乗っていない、図１〜図４の創傷ドレッシングシステムの代替的実施形態の平面図である。
【図６】図５の創傷ドレッシングシステムの側面図である。
【図７】吸収構造体は、長手方向軸線に対して代替的配向で配置される、図５の創傷ドレッシングシステムの代替的実施形態の平面図である。
【図８】ドレッシング支持層が、各吸収構造体の一部分に重なっている、図５の創傷ドレッシングシステムの代替的実施形態の平面図である。
【図９】ドレッシング支持タブが、代替的構成で配置されている、図１〜図４の創傷ドレッシングシステムの別の代替的実施形態の平面図である。
【図１０】ドレッシング支持タブが、別の代替的構成で配置されている、図１〜図４の創傷ドレッシングシステムの更に別の代替的実施形態の平面図である。
【図１１】ドレッシング支持層の各セクションの外側スポークが、創傷ドレッシングの第１及び第２の端部に沿って実質的に延びていない、図１〜図４の創傷ドレッシングシステムの更に別の代替的実施形態の平面図である。
【図１２】創傷ドレッシングシステムが、本開示に係る創傷ドレッシングと、ドレッシング支持層を含む、本開示に係る創傷ドレッシングの代替的実施形態の平面図である。
【図１３】ドレッシング支持タブが、代替的構成で配置されている、図１２の創傷ドレッシングシステムの代替的実施形態の平面図である。
【図１４】創傷ドレッシングシステムが、本開示に係る創傷ドレッシングと、ドレッシング支持層を含む、本開示に係る創傷ドレッシングの別の代替的実施形態の平面図である。
【図１５】ドレッシング支持ブリッジ部材が、裏材の側縁部から離間した、図１４の創傷ドレッシングシステムの代替的実施形態の平面図である。
【図１６ａ】各代替的実施形態のドレッシング支持ブリッジ部材が、ドレッシング支持層の内側部分から離れるように、最も近い側縁部に向かって延びる近接縁部を含む、図１４の創傷ドレッシングシステムの代替的実施形態の平面図である。
【図１６ｂ】各代替的実施形態のドレッシング支持ブリッジ部材が、ドレッシング支持層の内側部分から離れるように、最も近い側縁部に向かって延びる近接縁部を含む、図１４の創傷ドレッシングシステムの代替的実施形態の平面図である。
【図１６ｃ】各代替的実施形態のドレッシング支持ブリッジ部材が、ドレッシング支持層の内側部分から離れるように、最も近い側縁部に向かって延びる近接縁部を含む、図１４の創傷ドレッシングシステムの代替的実施形態の平面図である。
【図１７】ドレッシング支持層の内側部分が、創傷ドレッシングの中心軸線に実質的に平行に、該中心軸線から離間して延びる、本開示に係る創傷ドレッシングシステムの別の代替的実施形態の平面図である。
【図１８】図１４の創傷ドレッシングシステム、及びこの創傷ドレッシングシステムが所定の経路に沿って分割されるときに、そこから得られる２つの切り取られた創傷ドレッシングシステムの平面図である。
【図１９】図１８の切り取られた創傷ドレッシングシステム、及びこれらの切り取られた創傷ドレッシングシステムが所定の経路に沿って分割されるときに、それらから得られる１２個の２回切り取られた創傷ドレッシングシステムの平面図である。
【図２０】図１４の創傷ドレッシングシステム、及びこの創傷ドレッシングシステムが代替的な所定の経路に沿って分割されるときに、そこから得られる２つの切り取られた創傷ドレッシングシステムの平面図である。
【図２１】図１４の創傷ドレッシングシステム、及びこの創傷ドレッシングシステムが２つの経路に沿って分割されるときに、そこから得られる４つの切り取られた創傷ドレッシングシステムの平面図である。
【図２２】図２０の切り取られた創傷ドレッシングシステム、及びこれらの切り取られた創傷ドレッシングシステムが所定の経路に沿って分割されるときに、それらから得られる４個の２回切り取られた創傷ドレッシングシステムの平面図である。
【図２３】図２１の切り取られた創傷ドレッシングシステム、及びこれらの切り取られた創傷ドレッシングシステムが所定の経路に沿って分割されるときに、それらから得られる６個の２回切り取られた創傷ドレッシングシステムの平面図である。
【図２４】図１４の創傷ドレッシングシステム、及びこの創傷ドレッシングシステムが５つの経路に沿って分割されるときに、そこから得られる６つの切り取られた創傷ドレッシングシステムの平面図である。
【図２５】本開示に係る創傷ドレッシングシステムの別の代替的実施形態の平面図である。
【発明を実施するための形態】
【００１８】
本開示のいずれかの実施形態を詳細に説明する前に、本発明は、以下の説明に記載されるか、若しくは以下の図面に例示される構成の詳細及び構成要素の配置に、その適用が限定されないことを理解されたい。本発明は、他の実施形態が可能であり、様々な方法で実施又は実行することができる。また、本明細書で使用される専門語句及び専門用語は説明を目的としたものであり、発明を限定するものとして見なされるべきではない点が理解されるべきである。「含む（including）」、「含む・含む（comprising）」、又は「有する（having）」、及びこれらの変化形は、その後に列記される要素及びそれらの均等物、並びに更なる要素を包含することを意図する。別段の指定又は限定がない限り、用語「連結された」及び「結合された」並びにその変化形は、広義で使用され、直接的及び間接的な連結及び結合の両方を包含する。更に、「連結される」及び「結合される」とは物理的又は機械的な連結若しくは結合に限定されるものではない。他の実施形態が利用されてもよく、本開示の範囲から逸脱することなく、構造的又は論理的な変更がなされてもよいことが理解されるべきである。更に、例えば、「前側」、「背側」、「上部」、「下部」、などの用語は、要素の互いの関係を記載するためにのみ使用され、器具の特定の配向を述べる、又は器具に必要である若しくは要求される配向を指示すること若しくは暗示すること、あるいは本明細書に記載される本発明が、使用においてどのように使用され、取り付けられ、表示され、若しくは設置されるかを特定すること、を決して意図していない。
【００１９】
本開示は一般に、形状適合性創傷ドレッシングに関する。本開示の創傷ドレッシングは、形状適合性が高く、かつ、片側に配置された粘着剤を有する。したがって、処置部位への配置中、ドレッシングを支持する好適な担体構造体が存在しない場合、ドレッシングは、それ自体が折返されることもある。本開示の創傷ドレッシングシステムは、処置部位へ適用中にドレッシングを支持するばかりでなく、比較的広く、起伏の大きい処置部位を処置するにあたって、こうした形状適合性ドレッシングの使用も可能になる構造的特徴を提供する。加えて、既定の線に沿って創傷ドレッシングを容易に分割して複数のより小さな創傷ドレッシングとし、各小さな創傷ドレッシングが、より狭い、起伏のある処置部位へのその適用を容易にするために、必要な構造的特徴の全てを含むことができるように、構造的特徴を適応させる。
【００２０】
図１〜３は、参照番号１０００によりその全体が指定される創傷ドレッシングシステムの一実施形態を示す。システム１０００は、創傷ドレッシング１０と、ドレッシング支持層２０を含む。創傷ドレッシング１０は、第１の端部１２と、第１の端部の反対側の第２の端部１４と、第１の端部から第２の端部へと延びる長手方向軸線１６と、を有する。任意の実施形態において、長手方向軸線１６は、創傷ドレッシング１０の中心軸線と一致し得る（すなわち、長手方向軸線１６は、後述の第１及び第２の側縁部から等距離にある）。中心軸線は、第１及び第２の側縁部（後述）からほぼ等距離に位置し、創傷ドレッシングの第１の端部から第２の端部へと延びる。
【００２１】
任意の実施形態において、創傷ドレッシング１０は、創傷部位（図示せず）に適用され、一定期間創傷部位に残される創傷ドレッシングシステム１０００の部分である。ドレッシング支持層２０は、創傷ドレッシング１０を創傷部位に適切に適用しやすくする創傷ドレッシングシステム１０００の部分である。ドレッシング支持層２０を必ず取り外す必要はないが、通常は、ドレッシング支持層は、創傷ドレッシングを創傷に適用した後に取り外す。
【００２２】
創傷ドレッシング１０は、弾性フィルム裏材３０を含む。裏材は、第１の主表面３１と、第１の主表面の反対側の第２の主表面３２を含む。裏材３０は、第１の側縁部３４と、第２の側縁部３６を含む外周部３３を有する。第１及び第２の側縁部（それぞれ、３４及び３６）は、創傷ドレッシング１０の第１の端部１２から第２の端部１４に延びる。好ましくは、第１及び第２の側縁部（それぞれ、２４及び２６）は、長手方向軸線１６に実質的に平行に延びる。創傷ドレッシング１０は、例えば、台形、長方形及び正方形など、種々の形状で形成することができ、これら種々の形状のそれぞれは、丸みのついた角部を含んでいてもよい。
【００２３】
粘着剤４０は、裏材３０の第１の主表面３１上に、（例えば、コーティングされた層として）配置される。任意の実施形態において、好ましくは、粘着剤４０は感圧粘着剤（ＰＳＡ）である。任意の実施形態において、低粘着コーティング（低粘着裏材サイズ又はＬＡＢ）４２は、裏材３０の第２の主表面３２上に（例えば、コーティングされた層として）配置される。本開示の裏材と共に使用するための好ましい低粘着コーティングの説明は、米国特許第５，５３１，８５５号（その開示全体が参照により本明細書に組み込まれる）の実施例１に見出すことができる。低粘着コーティングは、本明細書に記載のヒートシール接着と適合性がある。低粘着コーティング４２により、テープ又はデバイスを創傷ドレッシング１０上に配置し、その後取り外した場合に、意図せずにドレッシングが外れて、ドレッシングが変化してしまうことが減る。加えて、低粘着コーティングにより、亜麻布又は他の布地での創傷ドレッシング１０の表面摩擦が低減されることによって、使用中、創傷ドレッシング１０が偶然外れることに対する更なる保護が付与される。
【００２４】
第１の主表面３１は、場合によっては、裏材３０の「底面」又は「患者対向面」と称されることもあり、また第２の主表面３２は、裏材３０の「上面」と称されることもある。
【００２５】
任意の実施形態において、粘着剤４０を、裏材３０の第１の主表面３１全体を実質的に被覆する連続コーティングとして適用してもよい。任意の実施形態において、粘着剤４０を、第１の主表面３１の一部分に不連続的（例えば、様々な種類の多孔パターン（図示せず））にコーティングしてもよい。
【００２６】
任意の実施形態において、任意選択的な剥離ライナー９０を、裏材３０の第１の主表面３１上の粘着剤４０の露出表面に分離可能に付着させる。図３及び図４は、本開示に係る剥離ライナーの一実施形態を含む創傷ドレッシングシステム１０００の一実施形態を示す。術者が創傷ドレッシング１０を処置面に適用する準備ができるまで、剥離ライナー９０が、粘着剤４０を被覆する。剥離ライナー９０は、単一片の剥離ライナーであっても、複数片の剥離ライナーであってもよく、また、創傷ドレッシングシステムを収容する包装（図示なし）の一部であるか、又はそれにラミネートされるか、あるいは単に包装内に創傷ドレッシング１０と共に封入されてもよい。任意の実施形態において、剥離ライナー９０は、裏材の外周部３３を超えて延びる少なくとも１つの剥離ライナータブ９２を含むことができる。任意の実施形態において、剥離ライナータブ９２は外周支持層タブ（後述の外周支持層タブ２８）の少なくとも一部分と重なっていてもよい。本明細書で使用するとき、第２の片の一部分、又は第２の片によって反対側に沿って被覆されている何らかの第３の片の一部分のいずれかを被覆している場合、第１の片は第２の片に「重なっている」又は「上に乗っている」と言うことができる。換言すれば、１つの片は、第３の片によって分離されていても、別の片に「重なる」か、又は別の片の「上に乗る」ことができる。
【００２７】
創傷ドレッシングシステムのドレッシング支持層２０は、２つの並置されるセクションを含み、それぞれ第１のセクション２０ａと、第２のセクション２０ｂである。ドレッシング支持層２０の第１及び第２のセクションは、本明細書に記載されるように、裏材３０の第２の主表面３２に取り外し可能に接着される。ドレッシング支持層は、好ましくは、裏材３０の第２の主表面３２上に（存在する場合は、低粘着コーティング４２越しに）、ヒートシール接着により取り付けられる（すなわち、取り外し可能に接着される）。剥離ライナー９０を創傷ドレッシング１０から取り外すときに、裏材３０がドレッシング支持層２０に付着したままとなるように、ドレッシング支持層２０と裏材３０との間のヒートシール接着は、粘着剤４０と剥離ライナー９０との間の接着よりも強力である。剥離ライナー９０及び創傷ドレッシング１０が分離されると、ドレッシング支持層２０及び吸収性パッド（存在する場合、後述）のみが裏材３０を支持する（すなわち、裏材３０に剛性を付与する）。
【００２８】
ドレッシング支持層２０の並置された第１及び第２のセクションは、ドレッシング支持層のセクション間に間隙５０を画定する。間隙５０は、創傷ドレッシング１０の第１の端部１２から第２の端部１４まで実質的に延びる。したがって、間隙５０により、術者が、第１の端部から第２の端部まで創傷ドレッシングシステム１０００を分割し、２つの切り取られた創傷ドレッシングシステム（図示せず）を形成するための、（例えば、はさみによる）切断プロセスのガイドとして用い得る、視認可能な線が画定される。間隙５０は長手方向軸線１６と実質的に重なっており、かつ間隙５０も創傷ドレッシングシステム１０００の対称軸を形成するため、間隙５０によって画定される線に沿って創傷ドレッシングシステム１０００を分割することにより、２つの実質的に同一の切り取られた創傷ドレッシングシステム（図示せず）が得られる。
【００２９】
任意の実施形態において、間隙５０は連続的な間隙である。間隙５０が連続している場合、ドレッシング支持層２０の第１及び第２のセクションは、間隙５０により、物理的に分離されている。あるいは、任意の実施形態において、間隙５０は第１の端部１２から第２の端部１４に延びる不連続的な間隙（例えば、一連の穿孔、スリット又は矢印）である。任意の実施形態において、図９に図示した実施形態に示すように、間隙５０は、単にスリット（すなわち、間隙の幅は、約１ｍｍ未満、約０．５ｍｍ未満、又は約０．１ｍｍ未満であってよい）を含んでもよい。
【００３０】
間隙５０が連続していない場合、ドレッシング支持層２０の第１及び第２のセクションは、物理的に間隙５０で接合しているが、これらは、概して、ドレッシング支持層の他の部分（例えば、間隙、又は本明細書に後述されるようなドレッシング支持層２０内の弱い他の領域を含まない他の部分）よりも容易に（例えば、引き裂くことにより）分離される。任意の実施形態において、間隙５０は、裏材３０を切断しないような、１つ又は２つ以上の調節された深さの、ドレッシング支持層２０を通り抜けるダイカットであってもよい。したがって、間隙５０は、ドレッシング支持層２０の一部分を裏材３０から持ち上げて、剥離することができる開始点を提供する。
【００３１】
任意の実施形態において、ドレッシング支持層２０層の第１のセクション２０ａの少なくとも一部分は、ドレッシング支持層の第２のセクション２０ｂの少なくとも一部分と重なっていてもよい（図示せず）。第１のセクションの一部分が第２のセクションの一部分と重なっている実施形態では、間隙は、第２のセクションの縁部によって画定される。
【００３２】
必須ではないが、任意の実施形態において、図１に図示するように、間隙５０は、創傷ドレッシング１０の中心軸線（長手方向軸線１６と一致する）に実質的に沿って延びていてもよい。あるいは、任意の実施形態において、間隙５０は、図１４に示すように、中心軸線からオフセットしている線に沿って延びていてもよい。ある種の好ましい実施形態では、間隙５０によって画定される経路は、創傷ドレッシング１０の長手方向軸線１６に実質的に平行である。
【００３３】
任意選択的に、ドレッシング支持層２０は、視認可能な目印６１を含んでもよい。任意の実施形態において、ドレッシング支持層は、図１に示すように複数の視認可能な目印６０を含んでいてもよい。任意の実施形態において、視認可能な目印６０は、視認可能な線であってもよい（例えば、印刷された線）。視認可能な目印６０は、創傷ドレッシング１０を複数の切り取られた創傷ドレッシングに分割するためのガイドとして機能し（例えば、線を画定し）、本明細書で検討するとおり、各切り取られた創傷ドレッシングは、所定の構造的特徴を有することが望ましい場合もある。任意の実施形態において、視認可能な目印６０は、連続的なマーク（例えば、印刷された線）によって画定されてもよい。あるいは、任意の実施形態において、視認可能な目印６０は、不連続的なマーク（例えば、印刷された点線）により画定されてもよい。
【００３４】
任意の実施形態において、視認可能な目印６０のうちの少なくとも１つは弱い領域（例えば、しわ、折り目、（例えば、エンボス加工によって薄くされた）薄い部分、穿孔部、複数の穿孔部、スリット、複数のスリット）を含む。この弱い領域により、視認可能な目印６０によって画定される線に沿って、ドレッシング支持層をより屈曲させやすいか、又は折畳みやすくすることが望ましい場合もある。したがって、弱い領域により、起伏のある表面に適用されている間、（例えば、それ自体での折畳みを防ぐために）創傷ドレッシングを支持することに加えて、起伏のある表面（例えば、肩、腰、膝）に対して創傷ドレッシング１０を適合させやすくなる。したがって、この弱い領域により、既定の経路に沿って創傷ドレッシングを折畳みやすくするドレッシング支持層の一部分が画定される。
【００３５】
任意の実施形態において、本開示の創傷ドレッシングは、ドレッシング支持層の一部分と裏材との間の接着を防ぐ、接着防止領域を含んでいてもよい。図１は、本開示に係る接着防止領域４５の一実施形態を示す。図１〜図３に図示した実施形態では、接着防止剤４４が、接着防止領域４５に（例えば、積層プロセスを介して）適用される。好適な接着防止剤４４の非限定的な例としては、３Ｍ  ＭＩＣＲＯＰＯＲＥ  Ｔａｐｅ（３Ｍ  Ｃｏｍｐａｎｙ，Ｓｔ．Ｐａｕｌ，ＭＮから入手可能）がある。
【００３６】
接着防止領域４５は、間隙５０とドレッシング支持層２０の各セクション（２０ａ及び２０ｂ）の内側部分２２の少なくとも一部とに重なっている。したがって、接着防止領域と重なっている内側部分２２の一部により、裏材３０に付着していない複数の内側支持層タブ２９が形成される。有利には、適用する前に創傷ドレッシングシステムを取り扱うため、及び創傷ドレッシング１０の処置面（図示せず）への適用の前又は後に、ドレッシング支持層２０又はその一部分を裏材３０から分離するために、内側支持層タブ２９を把持して、引っぱることができる。必須ではないが（図１７を参照されたい）、任意の実施形態において、図１に図示するように、接着防止領域は、創傷ドレッシング１０の中心軸線（長手方向軸線１６と一致する）に近接して配置される。
【００３７】
本開示の創傷ドレッシングシステムの任意の実施形態において、ドレッシング支持層は、いくつかの構造的特徴を含む。図１及び図２に戻って、ドレッシング支持層２０の各セクション（例えば、第１のセクション２０ａ及び第２のセクション２０ｂ）は、創傷ドレッシング１０の第１の端部１２周辺から第２の端部１４周辺に延びる内側部分２２を含む。任意の実施形態において、第１のセクション２０ａ及び／又は第２のセクション２０ｂの内側部分２２は、長手方向軸線１６に実質的に平行に延びる。任意の実施形態において、第１のセクション２０ａ及び／又は第２のセクション２０ｂの内側部分２２は、長手方向軸線１６に隣接して延びる。
【００３８】
複数の少なくとも４つのスポークが、ドレッシング支持層２０それぞれの各セクションの内側部分２２から延びる。これら少なくとも４つのスポークは、２つの外側スポーク２４を含む（例えば、ドレッシング支持層２０の第１のセクション２０ａは、第１の端部１２に近接した第１の外側スポーク２４ａ、及び第２の端部１４に近接した第２の外側スポーク２４ｂを含み、第２のセクション２０ｂは第１の端部１２に近接した第１の外側スポーク２４ｃ及び第２の端部１４に近接した第２の外側スポーク２４ｄを含む）。加えて、ドレッシング支持層２０の各セクションのこれら少なくとも４つのスポークは、２つの内側スポーク２６を含む。
【００３９】
それぞれの外側スポーク２４は、創傷ドレッシング１０の第１の端部及び第２の端部（それぞれ、端部１２及び１４）において、実質的に外周部３３に延びる。本明細書で使用するとき、「外周部に実質的に延びる」とは、外側スポーク２４が、外周部３３に十分に近い箇所まで延びて、裏材３０の外周部に十分な支持をもたらし、ライナー９０（存在する場合）を粘着剤４０から取り外すときに、裏材３０が、それ自体で折返されたり、付着されたりすることがないようになっていることを意味する。任意の実施形態において、外側スポーク２４は、裏材３０の外周部３３全体に延びる。
【００４０】
任意の実施形態において、ドレッシング支持層２０の外側スポーク２４のうちの少なくとも１つは、創傷ドレッシング１０の第１の端部１２及び／又は第２の端部１４において、外周部３３に沿って延びる。例えば、創傷ドレッシングシステム１０００のドレッシング支持層２０の第１のセクション２０ａの第１の外側スポーク２４ａ及び第２のセクション２０ｂの第１の外側スポーク２４ｃ（図１及び図２）は、裏材３０の外周部３３に実質的に沿って延びる。その一方で、創傷ドレッシングシステム１００４のドレッシング支持層２０の第１のセクション２０ａの第１の外側スポーク２４ａ及び第２のセクション２０ｂの第１の外側スポーク２４ｃ（図１１、後述）は、裏材３０の外周部３３に実質的に沿って延びていない。
【００４１】
任意の実施形態において、ドレッシング支持層の外側スポーク２４のうちの少なくとも１つは、第１の端部１２又は第２の端部１４の外周部の少なくとも２０％に沿って延びる。任意の実施形態において、ドレッシング支持層２０の外側スポーク２４のうちの少なくとも１つは、第１の端部１２又は第２の端部１４の外周部の少なくとも２５％に沿って延びる。任意の実施形態において、ドレッシング支持層２０の外側スポーク２４のうちの少なくとも１つは、第１の端部１２又は第２の端部１４の外周部の少なくとも３０％に沿って延びる。任意の実施形態において、ドレッシング支持層２０の外側スポーク２４のうちの少なくとも１つは、第１の端部１２又は第２の端部１４の外周部の少なくとも３５％に沿って延びる。任意の実施形態において、ドレッシング支持層２０の外側スポーク２４のうちの少なくとも１つは、第１の端部１２又は第２の端部１４の外周部の少なくとも４０％に沿って延びる。
【００４２】
任意の実施形態において、ドレッシング支持層２０の各セクション（例えば、第１のセクション２０ａ及び第２のセクション２０ｂ）の４つの外側スポーク２４はそれぞれ、第１の端部１２又は第２の端部１４の外周部の少なくとも２５％に沿って延びる。任意の実施形態において、ドレッシング支持層の各セクション（例えば、第１のセクション２０ａ及び第２のセクション２０ｂ）の４つの外側スポーク２４はそれぞれ、第１の端部１２又は第２の端部１４の外周部の少なくとも３０％に沿って延びる。任意の実施形態において、ドレッシング支持層の各セクション（例えば、第１のセクション２０ａ及び第２のセクション２０ｂ）の４つの外側スポーク２４はそれぞれ、第１の端部１２又は第２の端部１４の外周部の少なくとも３５％に沿って延びる。任意の実施形態において、ドレッシング支持層の各セクション（例えば、第１のセクション２０ａ及び第２のセクション２０ｂ）の４つの外側スポーク２４はそれぞれ、第１の端部１２又は第２の端部１４の外周部の少なくとも４０％に沿って延びる。
【００４３】
任意の実施形態において、ドレッシング支持層２０の外側スポーク２４のうちの少なくとも１つは、第１の側縁部３４又は第２の側縁部３６の一部分に沿って延びる。例えば、ドレッシング支持層の第１のセクション２０ａの第１の外側スポーク２４ａは、創傷ドレッシング１０の第１の端部１２において、裏材３０の外周部３３に実質的に沿って延びる。加えて、第１の外側スポーク２４ａは、第１の側縁部３４の一部分に沿っても延びる。任意の実施形態において、ドレッシング支持層２０の第１のセクション２０ａ及び／又は第２のセクション２０ｂの外側スポーク２４がいずれも、第１の側縁部３４又は第２の側縁部３６の一部分に沿って延びる。
【００４４】
ドレッシング支持層２０の各セクション（例えば、第１のセクション２０ａ及び第２のセクション２０ｂ）の内側部分２２から延びる少なくとも４つのスポークは、セクションの２つの外側スポーク２４間に配置される少なくとも２つの離間した内側スポーク２６を含む。本明細書で使用するとき、「離間した内側スポーク」とは、ドレッシング支持層の内側部分にある共通の箇所から放射状になっているのではない内側スポークを指す（すなわち、内側スポーク２６の長手方向軸線を通る直線、例えば、図１の視認可能な目印６０により画定される直線などが、ドレッシング支持層２０の内側部分２２で交差しない）。任意の実施形態において、ドレッシング支持層２０の片方又は両方のセクションの２つ以上の内側スポーク２６のうち、少なくとも２つの長手方向軸線は、図１〜図２に図示した実施形態に示すように、互いに実質的に平行に延びる。
【００４５】
ドレッシング支持層２０の各セクション（例えば、第１のセクション２０ａ及び第２のセクション２０ｂ）の少なくとも４つのスポークのうちの少なくとも２つは、側縁部（例えば、第１の側縁部３４又は第２の側縁部３６）を超えて延びて、外周支持層タブ２８を形成する。外周支持層タブ２８は、創傷ドレッシング１０から外側に延びており、患者への適用の際に、創傷ドレッシングを位置決めし、更に、患者へのドレッシングの適用前に、創傷ドレッシング１０を剥離ライナー９０から剥離し、かつ／又は患者へのドレッシングの適用後に、ドレッシング支持層を創傷ドレッシング１０から剥離するために、指で把持することができる構造体を提供する。
【００４６】
本開示の創傷ドレッシングシステムの任意の実施形態において、少なくとも１つのスポーク（例えば、内側スポーク又は外側スポーク）が、創傷ドレッシングの長手方向軸線に実質的に垂直な線に沿って延びる。任意の実施形態において、複数のスポーク（例えば、複数の内側スポーク、複数の外側スポーク、又はこれらを組み合わせ）が、創傷ドレッシングの長手方向軸線に実質的に垂直な線に沿って延びる。任意の実施形態において、スポークの全て（例えば、内側スポーク及び外側スポーク）が、創傷ドレッシングの長手方向軸線に実質的に垂直な線に沿って延びる。
【００４７】
任意の実施形態において、ドレッシング支持層２０は、裏材３０の複数の被覆部分３８及び非被覆部分３９を画定する。任意の実施形態において、非被覆部分３９は、裏材３０の第１の側縁部３４に沿った少なくとも２つの非被覆部分３９ａと、裏材の第２の側縁部３６に沿った少なくとも２つの非被覆部分３９ｂと、を含む。有利には、各側縁部の少なくとも２つの非被覆部分により、ドレッシング支持層を取り外す前の、創傷ドレッシングシステムの形状適合性が高められ、これによって創傷ドレッシングの起伏のある表面、特に、広く、起伏のある表面への適用が容易になる。加えて、創傷ドレッシングシステムの側縁部に非被覆部分を有することにより、ドレッシングを適用するときに、より良好に処置部位が視認でき、また、例えばカテーテルなど、処置部位の表面上に存在し得る医療用装置に対して、創傷ドレッシングの縁部を形状適合させやすくなる。加えて、側縁部に非被覆部分を有することにより、支持層を取り外す際に、ドレッシングが皮膚を持ち上げる可能性が低下する。
【００４８】
非被覆部分３９（すなわち「窓」）を、ドレッシング支持層のブランク（図示せず）から（例えば、深さを調節したダイカットによって）切断して、裏材３０の上面の一部分を露出させる非被覆部分３９（すなわち「窓」）を有するドレッシング支持層２０を形成してもよい。ブランクの外部又は窓部分（図示せず）は、製造中に取り除かれてもよいし、消費者によって取り除かれてもよい。
【００４９】
裏材３０の非被覆部分３９により、創傷ドレッシング１０が処置部位に配置され、次にその部位に適用される際に、術者にとっての、処置部位の視認性が高められる。加えて、被覆領域３９により、創傷ドレッシング１０を処置部位に適用する際に、裏材３０を処置部位に適合させるときの柔軟性が高められる。したがって、任意の実施形態において、創傷ドレッシングシステムは、任意選択的に、第１の端部１２及び／又は第２の端部１４において、外周部３３に沿った非被覆領域３９ｂを含む。任意選択的に、第１の端部及び／又は第２の端部における被覆領域３９ａは、間隙５０に近接していてもよい。任意の実施形態において、第１の端部及び／又は第２の端部における非被覆領域３９ａは、間隙５０の一部を形成していてもよい。任意選択的に、間隙５０は、更なる非被覆領域３９ｃを含むことができる。三角形状（非被覆領域３９ｂ）及びダイヤモンド形状（非被覆領域３９ｃ）として示したが、第１の端部、第２の端部における、又は間隙に沿った非被覆領域は、様々な任意の形状（例えば、円形、半円形、弧、多角形）を画定してもよい。
【００５０】
任意の実施形態において、ドレッシング支持層の第１のセクションのうちの少なくとも１つの内側スポークは、第２のセクションの内側スポークのうちの１つの実質的に反対方向に、第１の側縁部に向かって延びていることが望ましい場合もある。図１及び図２に戻って、第１のセクション２０ａの内側スポーク２６ａ及び第２のセクションの内側スポーク２６ｂは、それぞれ第１及び第２の側縁部３４及び３６に向かって実質的に反対側の方向に延びる。したがって、第１の内側スポーク２６ａは、第２のセクション２０ｂの内側スポーク２６ｂの実質的に反対方向に、第１の側縁部３４に向かって延びる。内側スポーク２６ａ及び２６ｂはいずれも同様の形状及び寸法を有し、いずれも内側スポークの長手方向軸線にほぼ沿って延びる視認可能な目印６０を含むため、内側スポーク２６ａ及び２６ｂの視認可能な目印６０は、実質的に位置合わせされ、第１の側縁部３４から第２の側縁部３６へと延びる直線「Ａ」を画定する。したがって、線「Ａ」により、術者が、第１の側縁部３４から第２の側縁部３６まで創傷ドレッシングシステム１０００を分割し、２つの切り取られた創傷ドレッシングシステム（図示せず）を形成するための、（例えば、はさみによる）切断プロセスのガイドとして用い得る、視認可能な線が画定される。有利にも、互いに反対方向の内側スポークの視認可能な目印によって画定される線「Ａ」に沿って創傷ドレッシングシステム１０００を分割することにより、以下に詳細に検討されるように、それぞれが少なくとも２つの外周支持タブを含む、２つの切り取られた創傷ドレッシングシステムが得られる。
【００５１】
任意の実施形態において、ドレッシング支持層の第１のセクションの複数の内側スポークは、第２のセクションの内側スポークのうちの１つの実質的に反対方向に、第１の側縁部に向かって延びていることが望ましい場合もある。任意の実施形態において、ドレッシング支持層の第１のセクションの内側スポークの全てが、第２のセクションの内側スポークのうちの１つの実質的に反対方向に、第１の側縁部に向かって延びていることが望ましい場合もある。これらの実施形態では、本明細書に記載されるように、ドレッシング支持層の第１及び第２のセクションの互いに反対方向の内側スポーク上に存在する場合、視認可能な目印は、術者が、第１の側縁部から第２の側縁部まで創傷ドレッシングシステムを分割し、複数の切り取られた創傷ドレッシングシステムを形成するための、（例えば、はさみによる）切断プロセスのガイドとして用い得る、少なくとも１つ又は複数の視認可能な線を画定していてもよい。本開示に係る創傷ドレッシングの任意の実施形態において、内側スポークのそれぞれが視認可能な目印を含んでもよい。
【００５２】
任意の実施形態において、任意選択的に、本開示の創傷ドレッシングは吸収性パッドを含む。図５及び図６は、吸収性パッド８０を含む創傷ドレッシングシステム１００１の一実施形態を示す。創傷ドレッシングシステム１００１は、本明細書に記載されるように、創傷ドレッシング１１と、ドレッシング支持層２０を含む。創傷ドレッシング１１は、長手方向軸線１６と、第１の主表面３１及び第１の主表面の反対側の第２の主表面３２を有する裏材３０と、接着防止領域４５と、を含む。粘着剤４０が、第１の主表面３１上に配置される。複数の吸収性パッド８０が、粘着剤４０に付着させられて、粘着剤４０と任意選択的な剥離ライナー９０との間に配置される。任意選択的な低粘着コーティング４２及び接着防止剤４４が、裏材３０の第２の主表面３２に配置される。第１のセクション２０ａと、第２のセクション２０ｂと、任意選択的な視認可能な目印６０と、外周支持層タブ２８と、内側支持層タブ２９と、を含むドレッシング支持層２０を、裏材３０の第２の主表面３２に接着する。本明細書に記載されるように、間隙５０は、第１のセクション２０ａと第２のセクション２０ｂとの間に配置される。
【００５３】
任意の実施形態において、創傷ドレッシング１１の任意選択的な吸収性パッド８０は、裏材３０が吸収性パッド８０を実質的に超えて、典型的には吸収性パッド８０の外周部全体を超えて延びているため、「島状パッド」と称されることがある。例えば、裏材の長さ及び幅は約３０ｃｍ×２１ｃｍであってよく、吸収性パッドの長さ及び幅は約６ｃｍ×４ｃｍであってもよい。吸収性パッド８０によって被覆されていない裏材３０の外周部上の感圧粘着剤４０は、患者の皮膚に付着させることができる。したがって、裏材３０のこの部分は、比較的重く、堅い吸収性パッド８０による支持又は補強がないことから、本発明の利点なしでは、折畳まれたり、しわになったり、又はそれ以外の様式で（皮膚に付着するのではなく）それ自体に付着してしまうことを避けて取り扱うことは困難となる。
【００５４】
図５では略長方形形状として示されているが、吸収性パッド８０は、例えば、円形、楕円形、多角形又は不規則形状など、様々な形状のうちのいずれか１つ又は２つ以上の形状で提供されてもよい。図５には、長方形の吸収性パッド８０は、それらの長手方向寸法が、創傷ドレッシング１１の長手方向軸線１６に実質的に垂直に延びた状態で配向されて示されているが、代替的には、図７の創傷ドレッシングシステム１００２に示すように、１つ又は２つ以上の吸収性パッド８０は、それらの長手方向寸法が、ドレッシング１１の長手方向軸線１６に実質的に平行に延びた状態で配向されていてもよい。
【００５５】
図５〜図７の吸収性パッド８０は、ドレッシング支持層の第１のセクション２０ａ又は第２のセクション２０ｂのどちらとも重なっていない。任意の実施形態において、創傷ドレッシング１１の１つ又は２つ以上の吸収性パッド８０は、図８の創傷ドレッシングシステム１００３に示すように、ドレッシング支持層のうちの少なくとも１つのセクション（例えば、第１のセクション２０ａ又は第２のセクション２０ｂ）のうちの少なくとも１つのスポーク（例えば、外側スポーク２４及び／又は内側スポーク２６）の少なくとも一部分と重なっていてもよい。
【００５６】
本開示の創傷ドレッシングシステムは、２つのセクションを有するドレッシング支持層を含み、各セクションは、上述したように、第１の端部周辺から第２の端部周辺へと延びる内側部分と、そこから側縁部に向かって延びる少なくとも４つのスポークと、を含む。更に、各セクションの少なくとも４つのスポークのうちの少なくとも２つは、側縁部を超えて延びて、外周支持層タブを形成する。図１〜図８は、創傷ドレッシングシステムの実施形態（例えば、創傷ドレッシングシステム１０００、１００１、１００２及び１００３）を示し、外周支持層タブを含む各セクションの少なくとも４つのスポークの少なくとも２つは、内側スポークである。本開示の創傷ドレッシングシステムの任意の実施形態において、セクションのうちの１つの側縁部を超えて延びる、少なくとも２つのスポークのうちの少なくとも１つは、図９に示すように、外側スポークであってもよい。
【００５７】
また、図８は、内側スポーク（それぞれ、内側スポーク２６ａ及び２６ｂ）に形成される２つの視認可能な目印（それぞれ、６０ａ及び６０ｂ）を示す。内側スポーク（２６ａ及び２６ｂ）は、実質的に位置合わせされ、間隙５０から離れるように互いに反対方向へ延びる。
【００５８】
図９は、ドレッシング支持層２０の１つのセクション（例えば、第１のセクション２０ａ）の外側スポーク２４を含み、この外側スポーク２４が外周支持層タブ２８を含む、創傷ドレッシングシステム２０００の一実施形態を示す。外側スポーク２４は、創傷ドレッシング１０の第１の端部にある。外側スポーク２４は、更に、裏材３０の外周部３３を超えて延び、外周支持層タブ２８を形成する第１のセクション２０ａの少なくとも２つのスポークのうちの一方である。内側スポーク２６は、裏材３０の外周部３３を超えて延び、外周支持層タブ２８を形成する第１のセクション２０ａの少なくとも２つのスポークのうちの他方のスポークである。本開示の創傷ドレッシングの第１のセクション２０ａと第２のセクション２０ｂが対称であることは必須ではないが、第１のセクション２０ａの外側スポーク２４の反対方向の、第２のセクション２０ｂの外側スポークも、裏材３０の外周部３３を超えて延び、外周支持層タブ２８を形成する。
【００５９】
したがって、図９に示す実施形態では、創傷ドレッシング１０の第１の端部１２における、第１のセクション２０ａの外側スポーク２４は、外周支持層タブ２８を含み、第１のセクションの他のスポークのそれぞれは、第１の端部１２から第２の端部１４へと順に、外周支持層タブ２８を有さないスポークと外周支持層タブ２８を有するスポークとが交互になっている。加えて、図９に示す実施形態では、創傷ドレッシング１０の第１の端部１２における、第２のセクション２０ｂの外側スポークは、外周支持層タブ２８を含み、第２のセクションの他のスポークのそれぞれは、第１の端部１２から第２の端部１４へと順に、外周支持層タブ２８を有さないスポークと外周支持層タブ２８を有するスポークとが交互になっている。
【００６０】
逆に、任意の実施形態（図示せず）では、創傷ドレッシングの第１の端部における、第１のセクションの外側スポークは、外周支持層タブを含まず、第１のセクションの他のスポークのそれぞれは、第１の端部から第２の端部へと順に、外周支持層タブを有するスポークと外周支持層タブを有さないスポークとが交互になっている。追加的に、又は代替的に、ドレッシングの第１の端部における、第２のセクションの外側スポークは、外周支持層タブを含まず、第２のセクションの他のスポークのそれぞれは、第１の端部から第２の端部へと順に、外周支持層タブを有するスポークと外周支持層タブを有さないスポークとが交互になっている。全てのスポークが、外周部を超えて延びるタブを有する場合もある。また、側縁部に沿った裏材の外周部は、フィルムがわずか（１／４”以下（０．６４ｃｍ以下））にタブ上に延びることになることから、直線とはならない点に留意する必要がある。
【００６１】
また、図９は、不連続的な線（例えば、印刷された点線、印刷された破線、線を形成する一連の穿孔部、線を形成する一連のスリット）によって形成される視認可能な目印６１の実施形態、及びドレッシング支持層のセクション間の間隙５０から、裏材３０の外周縁（例えば、外周部３３）まで延びる視認可能な目印６２の実施形態を示す。上述のように、視認可能な目印６１又は視認可能な目印６２のいずれか、又は視認可能な目印６１及び６２の両方は、弱い領域（例えば、しわ、折り目、（例えば、エンボス加工によって薄くされた）薄い部分、穿孔部、複数の穿孔部、スリット、複数のスリット）を含んでいてもよい。
【００６２】
図１０は、ドレッシング支持層２０を含む創傷ドレッシングシステム３０００の一実施形態を示し、ドレッシング支持層２０の１つのセクション（例えば、第１のセクション２０ａ）の外側スポーク（例えば、外側スポーク２４ａ及び外側スポーク２４ｂ）は両方とも、裏材３０の第１の側縁部３４を超えて延び、外周支持層タブ２８を形成する。したがって、外側スポーク２４ａ及び２４ｂは、裏材３０の外周部３３を超えて延び、本開示の創傷ドレッシングシステム３０００の外周支持層タブ２８を形成する第１のセクション２０ａの少なくとも２つのスポークのうちの２つである。本開示の創傷ドレッシングの第１のセクション２０ａと第２のセクション２０ｂが対称であることは必須ではないが、第２のセクション２０ｂの外側スポーク（それぞれ、外側スポーク２４ｃ及び２４ｄ）も、裏材３０の外周部３３を超えて延び、外周支持層タブ２８を形成する。図１０に図示した実施形態では、ドレッシング支持層２０の第１のセクション２０ａと第２のセクション２０ｂの、いずれの内側スポーク２６も外周支持層タブ２８を含んでいない。
【００６３】
また、図１０には、複数のＶ字型切断部を含む視認可能な目印６３が示されており、このＶ字型切断部により、ドレッシング支持層２０は、視認可能な目印６３によって画定されている線に沿って切断又は引き裂きやすくなっている。図９の視認可能な目印６２によって示すように、視認可能な目印６３は、間隙５０から側縁部（それぞれ、３４及び３６）に任意選択的に延びる。
【００６４】
本開示の創傷ドレッシングシステムの任意の実施形態において、少なくとも１つの外側スポークは、ドレッシング支持層の内側部分から裏材に形成された角部まで斜めに延びることができる。図１１は、ドレッシング支持層２０の内側部分２２から裏材３０の各角部のうちの１つへと延びる、複数の外側スポーク２４を含む創傷ドレッシングシステム１００４の一実施形態を示す。加えて、ドレッシング支持層２０の各セクション（それぞれ、第１のセクション２０ａ及び第２のセクション２０ｂ）は、２つの内側スポーク２６を含み、各内側スポークは、外周支持タブ２８を含む。ドレッシング支持層２０の各セクションは、その間に配置された間隙５０によって部分的に画定されている。本実施形態の外側スポークは、裏材の外周縁を超えて延びるドレッシング支持層タブ（図示せず）を更に含み得ることが想定されている。
【００６５】
任意の実施形態において、本開示の創傷ドレッシングシステムは、少なくとも２つのセクションを有するドレッシング支持層を含んでいてもよく、各セクションは、少なくとも３つの離間した内側スポークを含む。図１２は、創傷ドレッシング１０と、創傷ドレッシング１０に接着されている２つのセクション（第１のセクション２０ａ及び第２のセクション２０ｂ）を含むドレッシング支持層２０と、を含む、創傷ドレッシングシステム４０００の一実施形態を示す。セクションのそれぞれが、２つの外側スポーク２４と、３つの離間した内側スポーク２６を含む。ドレッシング支持層２０の各セクションは、その間に延びる間隙５０によって部分的に画定されている。少なくとも２つのスポーク（例えば、ドレッシング支持層２０の各セクションの２つの内側スポーク２６）は、裏材３０の外周縁を超えて延びる外周支持層タブを含む。有利には、少なくとも３つの離間した内側スポークを備えるドレッシング支持層を含む創傷ドレッシングにより、比較的広い創傷ドレッシングの柔軟性及び形状適合性の高い裏材を支持することができ、それによって、このような創傷ドレッシングを、身体の比較的広い部分の比較的広い処置部位（例えば、背部、下肢、胸部、腹部、膝及び腰）に適用できるようになる。加えて、創傷ドレッシングシステムを、視認可能な目印に沿って側縁部から側縁部へと分割して、それぞれが、取扱いのために両端部に外周支持層タブを有する、最大４つの別個のドレッシングを作製することができ、これによって得られる、切り取られた創傷ドレッシングシステムのそれぞれは、支持層が裏材に接着されていない外周部の３つ以上の部分を有する。
【００６６】
図１３は、創傷ドレッシング１０と、創傷ドレッシング１０に接着されている２つのセクション（第１のセクション２０ａ及び第２のセクション２０ｂ）を含むドレッシング支持層２０と、を含む、創傷ドレッシングシステム４００１の代替的実施形態を示す。セクションのそれぞれが、２つの外側スポーク２４と、３つの離間した内側スポーク２６を含む。ドレッシング支持層２０の各セクション（それぞれ、２０ａ及び２０ｂ）は、その間に延びる間隙５０によって部分的に画定されている。図１２の創傷ドレッシングシステム４０００とは対照的に、創傷ドレッシングシステム４００１のドレッシング支持層２０の各セクションは、裏材３０の外周縁を超えて延びる外周支持層タブ２８を有する、各セクションにおける３つのスポーク（例えば、両方の外側スポーク２４及び１つの内側スポーク）を含む。これらの更なる外周支持層タブ２８により、比較的広い創傷部位を覆って創傷ドレッシング１０を配置し始める際に、術者は、複数のタブ２８のうちの１つ又は２つを使用できるようになる一方で、創傷ドレッシング１０の最初の部分を比較的広い創傷部位の一部分に付着させた後は、他のタブ２８を使用して配置を行い、ドレッシングの適用を完了させる。更に、これらの更なるタブ２８により、創傷ドレッシングシステム４００１を複数の切り取られた創傷ドレッシングシステム（後述）に分割することができるようになり、それぞれの切り取られた創傷ドレッシングシステムは、２つのセクションを有するドレッシング支持層を有し、各セクションは、少なくとも２つの外周支持層タブ２８を含む。切り取られた創傷ドレッシングシステムはそれぞれ、少なくとも３つの辺を有し、切り取られたドレッシングの外周部は、支持層に接着されていない裏材の一部分を有する。これは、切り取られた創傷ドレッシングシステムの形状適合性及び柔軟性を向上させる。
【００６７】
好ましい実施形態では、本開示の創傷ドレッシングシステムは、創傷ドレッシングと、創傷ドレッシングに接着された２つのセクションを含むドレッシング支持層を含む。セクションのそれぞれが、２つの外側スポークと、少なくとも５つの離間した内側スポークを含む。加えて、ドレッシング支持層は、ドレッシング支持層の内側部分から離間し、ドレッシング支持層の１つのセクションの２つの隣接するスポーク間に延びる支持構造体を形成する少なくとも１つのブリッジ部材を含む。
【００６８】
図１４は、創傷ドレッシング１０と、創傷ドレッシング１０に接着されている２つのセクション（第１のセクション２０ａ及び第２のセクション２０ｂ）を含むドレッシング支持層２０と、を含む、創傷ドレッシングシステム５０００の一実施形態を示す。本明細書に記載されるように、セクションのそれぞれが、２つの外側スポーク２４と、少なくとも５つの離間した内側スポーク２６を含む。加えて、ドレッシング支持層２０は、複数のブリッジ部材２３を含む。ブリッジ部材２３は、ドレッシング支持層２０の内側部分２２から離間している。ブリッジ部材２３のそれぞれは、ドレッシング支持層の１つのセクションの２つの隣接するスポーク間に延びる支持構造体を形成する。例えば、ブリッジ部材２３ａは、ドレッシング支持層２０の第１のセクション２０ａの外側スポーク２４ａと内側スポーク２６ａとの間の、ドレッシングの外周部３３を支持する支持構造体を形成する。この特徴は、創傷ドレッシング１０が比較的大きい場合（例えば、側縁部に沿った測定値が約２０ｃｍ以上）に特に有益である。また、図１４は、上述したような視認可能な目印６１及び視認可能な目印６２を示す。
【００６９】
図１４に示す実施形態では、ブリッジ部材２３ａ、ドレッシング支持層２０の内側部分２２及び隣接するスポーク２４ａ及び２６ａにより、裏材の非被覆部分３９が画定される。
【００７０】
図１４に示す実施形態では、ブリッジ部材２３は、裏材の外周部３３に近接して配置される。ブリッジ部材２３は、外周支持層タブ２８を有するスポークと外周支持層タブを有さないスポークとの間に延びていることが好ましいこともある。任意の実施形態において、ブリッジ部材は、裏材３０の外周部３３を超えて任意選択的に延びてもよく、また、外周支持層タブ（図示せず）の少なくとも一部分と連続していてもよい。ブリッジ部材２３は、隣接するスポーク間全体に延びるように示しているが、任意の実施形態においては、ブリッジ部材２３は、例えば、スリット（図示せず）によって１つ又は２つ以上の隣接するスポークから物理的に分離されていてもよいことが想定されている。存在する場合、１つ又は２つ以上のスリットにより、更なる柔軟性をドレッシング支持層に付与することができ、それによって、創傷ドレッシングシステムを起伏の大きい面（例えば、膝又は肩）に適用しやすくなる。
【００７１】
本開示の創傷ドレッシングシステムの任意の実施形態において、ブリッジ部材は、裏材の側縁部から離間した位置で、裏材に配置させることができる。図１５は、裏材３０の側縁部から離間した位置にブリッジ部材を含むドレッシング支持層２０（例えば、ドレッシング支持層の第１のセクション２０ａのブリッジ部材２３は、図１５に示すように、裏材の第１の側縁部３４から離間している）を含む、創傷ドレッシングシステム５００１の一実施形態を示す。有利には、これらの実施形態において、ブリッジ部材２３は、処置面に適用されている間にも、依然として裏材３０を支持しているが、処置部位に存在する医療用装置（例えば、カテ−テル）又は身体に、より良好に適合させることができるように、側縁部（それぞれ、側縁部３４及び３６）を、非被覆のままにする。また、図１５は、全て上述したような、接着防止領域４５、外周支持層タブ２８、内側支持層タブ２９、視認可能な目印６１及び視認可能な目印６２を示す。
【００７２】
ブリッジ部材及び内側支持層タブを有するドレッシング支持層セクションを含む、本開示の創傷ドレッシングシステムの任意の実施形態において、ブリッジ部材は、内側支持層タブに剥離力を加えることでドレッシング支持層の取り外しを容易にする方法で構成されてもよい。図１６ａは、図１５の創傷ドレッシングシステムの代替的実施形態（創傷ドレッシングシステム５００２）を示す。図１６ａに示す実施形態では、ブリッジ部材２３’は、ドレッシング支持層２０を取り外しやすいように構成される。図１６ａの実施形態では、ブリッジ部材２３’は、山形形状である。
【００７３】
ドレッシング支持層２０のブリッジ部材２３’は、ドレッシング支持層２０の内側部分２２に近接している内側縁９１を含む。内側縁９１は、ドレッシング支持層２０の内側部分２２に対して、ブリッジ部材２３’の内側縁の他のいずれの点よりも近い少なくとも１つの最近点９２を含む。最近点９２は、ブリッジ部材２３’がスポーク（例えば、内側スポーク２６）に当接しているところに位置している。したがって、内側支持層タブ２９が把持され、裏材３０から離れるように持ち上げられたり、かつ／又は矢印「Ｂ」の方向に引っぱられるとき、最近点９２は、ブリッジ部材２３’において最初に裏材から分離される部分となり、これによって、内側支持層タブから更に離れて位置しているブリッジ部材２３’の部分の更なる分離が容易になる。有利なことに、ブリッジ部材のこの構成により、ドレッシング支持層を裏材から取り外すときに、ドレッシング支持層が意図せずに引き裂かれたり、場合によっては、スポークからブリッジ部材が分離されたりすることを防ぐことができる。また、図１６ａは、全て上述したような、接着防止領域４５、外周支持層タブ２８、視認可能な目印６１及び視認可能な目印６２を示す。
【００７４】
図１６ｂは、ドレッシング支持層を取り外しやすいように構成された、ブリッジ部材を有する図１６ａの創傷ドレッシングシステムの代替的実施形態（創傷ドレッシングシステム５００３）を示す。図１６ｂの実施形態では、ブリッジ部材２３’は、弓形形状である。ドレッシング支持層２０のブリッジ部材２３’’は、ドレッシング支持層２０の内側部分２２に近接している内側縁９１を含む。内側縁９１は、ドレッシング支持層２０の内側部分２２に対して、ブリッジ部材２３’’の内側縁の他のいずれの点よりも近い少なくとも１つの最近点９２を含む。最近点９２は、ブリッジ部材２３’’がスポーク（例えば、内側スポーク２６）に当接しているところに位置している。したがって、内側支持層タブ２９が把持され、裏材３０から離れるように持ち上げられたり、かつ／又は矢印「Ｂ」の方向に引っぱられるとき、最近点９２は、ブリッジ部材２３’’において最初に裏材から分離される部分となり、これによって、内側支持層タブから更に離れて位置しているブリッジ部材２３’’の部分の分離が容易になる。有利なことに、ブリッジ部材のこの構成により、ドレッシング支持層を裏材から取り外すときに、ドレッシング支持層が意図せずに引き裂かれたり、場合によっては、スポークからブリッジ部材が分離されたりすることを防ぐことができる。また、図１６ｂは、全て上述したような、接着防止領域４５、外周支持層タブ２８、視認可能な目印６１及び視認可能な目印６２を示す。
【００７５】
図１６ｃは、ドレッシング支持層を取り外しやすいように構成された、ブリッジ部材を有する図１６ａの創傷ドレッシングシステムの代替的実施形態（創傷ドレッシングシステム５００４）を示す。ドレッシング支持層２０のブリッジ部材２３’’’は、ドレッシング支持層２０の内側部分２２に近接している内側縁９１を含む。内側縁９１は、ドレッシング支持層２０の内側部分２２に対して、ブリッジ部材２３’’’の内側縁の他のいずれの点よりも近い少なくとも１つの最近点９２を含む。最近点９２は、ブリッジ部材２３’’’がスポーク（例えば、内側スポーク２６）に当接しているところに位置している。したがって、内側支持層タブ２９が把持され、裏材３０から離れるように持ち上げられたり、かつ／又は矢印「Ｂ」の方向に引っぱられるとき、最近点９２は、ブリッジ部材２３’’’において最初に裏材から分離される部分となり、これによって、内側支持層タブから更に離れて位置しているブリッジ部材２３’’’の部分の分離が容易になる。有利なことに、ブリッジ部材のこの構成により、ドレッシング支持層を裏材から取り外すときに、ドレッシング支持層が意図せずに引き裂かれたり、場合によっては、スポークからブリッジ部材が分離されたりすることを防ぐことができる。また、図１６ｃは、全て上述したような、接着防止領域４５、外周支持層タブ２８、視認可能な目印６１及び視認可能な目印６２を示す。
【００７６】
本開示に係るブリッジ部材を含む創傷ドレッシングシステムの任意の実施形態において、ドレッシング支持層は、図１４〜１６ｃに示すように、複数のブリッジ部材を含んでもよい。任意の実施形態において、第１のブリッジ部材は、第１及び第２のスポークに連結していてもよく、第２のブリッジ部材は、第３及び第４のスポークと連結していてもよい。任意の実施形態において、第１及び第２のスポークは、第３及び第４のスポークとしてドレッシング支持層の同一セクション（例えば、第１のセクション）に配置することもできる。あるいは、任意の実施形態において、第１及び第２のスポークは、ドレッシング支持層のうちの１つのセクション（例えば、第１のセクション）に配置することができ、第３及び第４のスポークは、ドレッシング支持層の別のセクション（例えば、第２のセクション）に配置することができる。任意の実施形態において、第１、第２、第３又は第４のスポークのうちの少なくとも１つは、外側スポークであってもよい。好ましい実施形態（図示せず）では、ドレッシングシステムの第１の端部から第２の端部へと見ると、ブリッジ部材が、第１のセクションと第２のセクションとの間で交互に並ぶように配置される。
【００７７】
いくつかの実施形態では、好ましいこともあるものの、本開示の創傷ドレッシングシステムのドレッシング支持層の第１セクションと第２のセクションとの間の間隙が、少なくとも部分的に創傷ドレッシングの中心軸線と一致している必要はない。図１７は、ドレッシング支持層２０の第１のセクション２０ａと第２のセクション２０ｂとの間の間隙５０が中心軸線から離間している（すなわち、間隙５０が一方の側縁部に、他の側縁部よりも近い）、創傷ドレッシングシステム６０００の一実施形態を示す。創傷ドレッシングシステム６０００は、ドレッシング支持層２０が接着されている裏材３０を含む創傷ドレッシング１０を含む。ドレッシング支持層２０の各セクション（それぞれ、２０ａ及び２０ｂ）は、少なくとも４つのスポーク（すなわち、外側スポーク２４及び内側スポーク２６）を含む。各セクションの２つの内側スポーク２６は、それぞれ、本明細書に記載されるように、外周支持層タブ２８を更に含む。加えて、本明細書に記載されるように、内側スポーク２６のそれぞれは、視認可能な目印６０を含み、視認可能な目印６０は、弱い領域であってもよい。創傷ドレッシングシステム６０００は、本明細書に記載されるように、接着防止領域４５を更に含んでおり、接着防止領域４５が、間隙５０とドレッシング支持層２０の内側部分２２とに重なることで、複数の内側支持層タブ２９が形成される。
【００７８】
本明細書に開示の創傷ドレッシングシステムの他の実施形態と同様に、創傷ドレッシングシステム６０００を、間隙５０によって概ね画定される線に沿って分割して、２つの切り取られた創傷ドレッシングシステム（図示せず）を形成することができる。長手方向軸線１６が中心軸線と一致し、このため、長手方向軸線１６がドレッシング支持層の対称軸を形成している他の創傷ドレッシングシステムとは対照的に、間隙５０によって画定された線に沿って創傷ドレッシングシステム６０００を分割することによって得られる２つの創傷ドレッシングシステムは、実質的に同一とはならない。有利なことに、ドレッシング支持層のセクション間の間隙５０が中心軸線に対して偏心していることで、創傷ドレッシングシステムに代替的な屈曲点がもたらされ、特に比較的大きな処置部位（例えば、腰背部）に対して更に好適となる。加えて、創傷ドレッシングシステム６０００を、２つの所定の異なるサイズの、それぞれが複数のタブを有する、切り取られた創傷ドレッシングシステムに容易に切断することができることにより、創傷ドレッシングシステム６０００を広範な用途に適応させることができる。
【００７９】
本開示の創傷ドレッシングシステムを使用して、患者の処置部位を被覆することができる。任意の実施形態において、創傷ドレッシングを、出荷及び保管用のパッケージ（例えば、個装パッケージ、複数の創傷ドレッシングシステムを収容するバルク包装パッケージ）内に配置してもよい。使用の際は、創傷ドレッシングシステムを、そのパッケージ（存在する場合）から取り出す。ドレッシング支持層タブ（例えば、外周支持層タブ）のうちの少なくとも１つを把持し、存在する場合には、ライナーを創傷ドレッシングから剥離して、裏材の第１の側面上の粘着剤を露出させる。次に、１つ又は２つ以上のタブ（例えば、外周支持層タブ）を把持した状態で、創傷ドレッシングを、処置領域を覆って配置し、その後、創傷ドレッシングの患者対向面を処置部位に接触させ、創傷ドレッシング上の粘着剤を介して、処置部位に創傷ドレッシングを固定する。処置部位に創傷ドレッシングを固定した後、ドレッシング支持層の各セクションは、ドレッシング支持層タブ（例えば、外周支持層タブ又は内側支持層タブ）のうちの少なくとも１つを把持し、支持層が処置面から離れるように引っぱることによって、任意選択的に取り外すことができる。好ましい実施形態では、ドレッシング支持層は、内側支持層タブによって把持され、このタブは、内側支持層タブに最も近いドレッシングの側縁部に概ね向かう方向に引っぱられる。
【００８０】
上述のように、本開示の創傷ドレッシングシステムの望ましい特徴は、ドレッシング支持層セクション間の間隙によって、かつ／又は１つ若しくは２つ以上の視認可能な目印によって、大まかに画定されているか、又は細かく特定されている所定の線に沿って、分割され得るか、又は部分的に分割され得ることである。いくつかの実施形態（例えば、間隙で画定される線、又は視認可能な目印で画定される線が対称軸である場合）では、創傷ドレッシングシステムを分割することにより、複数の実質的に同一の切り取られた創傷ドレッシングシステムを得ることができる。
【００８１】
このため、別の態様において、本開示は方法を提供する。この方法は、処置面への適用（例えば、上述のような処置部位への適用など）のための創傷ドレッシングシステムを調製する方法であり得る。第１の態様では、本方法は、本明細書に開示の創傷ドレッシングシステムの任意の実施形態を使用することを含み、該創傷ドレッシングシステムは、第１の端部と、第１の端部の反対側の第２の端部と、第１の端部から第２の端部へと延びる長手方向軸線と、を有する、創傷ドレッシングと、ドレッシング支持層と、を含む。創傷ドレッシングは、上部に粘着剤が配置された弾性フィルム裏材を含む。裏材は、第１の主表面と、第１の主表面の反対側の第２の主表面と、第１及び第２の側縁部を含む外周部と、を含む。側縁部は、第１の端部から第２の端部へと延びる。粘着剤は、第１の主表面上に配置される。任意の実施形態において、第１及び第２の側縁部は、長手方向軸線に実質的に平行に延びていてよい。ドレッシング支持層は、裏材の第２の主表面上に取り外し可能に取り付けられる、並置された第１及び第２のセクションを含み、並置された第１及び第２のセクションは、これらのセクション間に間隙を画定する。間隙は、実質的に第１の端部から第２の端部へと延びる。各セクションは、第１の端部周辺から第２の端部周辺に延びる内側部分と、そこから側縁部に向かって延びる少なくとも４つのスポークと、を含む。これらの少なくとも４つのスポークは、第１の端部において、実質的に外周部へと延びる第１の外側スポークと、第２の端部において、実質的に外周部へと延びる第２の外側スポークと、それらの間に配置された少なくとも２つの離間した内側スポークと、を含む。各セクションの少なくとも４つのスポークのうちの少なくとも２つは、側縁部を超えて延びて、外周支持層タブを形成する。ドレッシング支持層は、裏材の複数の被覆部分及び非被覆部分を画定する。
【００８２】
本方法の第１の態様は、ドレッシング支持層のセクション間の間隙によって実質的に画定される線に沿って、創傷ドレッシングを分割し、複数の切り取られた創傷ドレッシングシステムを作製することであって、各切り取られた創傷ドレッシングシステムは、少なくとも１つの外周支持層タブを含む、分割することと、切り取られた創傷ドレッシングシステムのうちの１つの切り取られた創傷ドレッシングを処置部位に適用することと、を含む。
【００８３】
図１８は、本方法の第１の態様に従い、既定の線９０に沿って分割され、複数の切り取られた創傷ドレッシングシステム（それぞれ、５０００ａ及び５０００ｂ）が形成される前後の図１４の創傷ドレッシングシステム５０００を示す。既定の線９０は、創傷ドレッシングシステム５０００の間隙５０と一致する（図１４参照）。創傷ドレッシングシステム５０００のドレッシング支持層２０は、分割線９０に対して非対称であるため、切り取られた創傷ドレッシングシステム（それぞれ、５０００ａ及び５０００ｂ）は、寸法及び形状は類似しているものの、同一ではない。各切り取られた創傷ドレッシングシステムは、複数の外周支持層タブ２８を含み、これにより、切り取られた創傷ドレッシングシステムの切り取られた創傷ドレッシング１１０を処置部位に適用しやすくなっている。当業者であれば、本方法は、本開示に係る創傷ドレッシングシステムの任意の実施形態と共に使用可能であることを理解するであろう。
【００８４】
創傷ドレッシングシステムが本開示に係る視認可能な目印を含むとき、任意の実施形態において、第１の態様の方法は、少なくとも１つの視認可能な目印に沿って複数の切り取られた創傷ドレッシングシステムのうちの１つを分割して、２回切り取られた創傷ドレッシングシステムを作製することを更に含むことができ、該２回切り取られた創傷ドレッシングシステムは、少なくとも１つの外周支持層タブ、又は１つの外周支持層タブの一部分を含む。これらの実施形態では、切り取られた創傷ドレッシングシステムのうちの１つの創傷ドレッシングを適用することは、２回切り取られた創傷ドレッシングシステムのうちの１つの２回切り取られた創傷ドレッシングを適用することを含む。
【００８５】
図１９は、既定の線９２に沿って分割する前後の切り取られた創傷ドレッシングシステム５０００ａ及び５０００ｂを示す。既定の線９２は、創傷ドレッシングシステム５０００の視認可能な目印６１及び視認可能な目印６２と一致する（図１４参照）。創傷ドレッシングシステム５０００ａ及び５０００ｂのドレッシング支持層２０は、非対称であるため、得られる２回切り取られた創傷ドレッシングシステム（それぞれ、５１００、５１０１、５１０２及び５１０３）は、寸法及び形状は類似しているものの、同一ではない。有利なことに、各２回切り取られた創傷ドレッシングシステムは、外周支持層タブ２８の少なくとも一部分を含み、これにより、２回切り取られた創傷ドレッシングシステムの２回切り取られた創傷ドレッシング１１１を処置部位に適用しやすくなっている。当業者であれば、本方法は、本開示に係る創傷ドレッシングシステムの任意の実施形態と共に使用可能であることを理解するであろう。
【００８６】
本方法の第２の態様は、本開示に係る創傷ドレッシングシステムを使用することを含み、ここで、該創傷ドレッシングシステムは、少なくとも２つの視認可能な目印を含む。第２の態様は、ドレッシングシステムを、任意の２つ以上の視認可能な目印に沿って分割し、複数の切り取られた創傷ドレッシングシステムを作製することであって、各切り取られた創傷ドレッシングシステムは、少なくとも１つの外周支持層タブを含む、分割すること、を含む、創傷ドレッシングシステムを分割することと、切り取られた創傷ドレッシングシステムのうちの１つの切り取られた創傷ドレッシングを処置部位に適用することと、を更に含む。
【００８７】
図２０は、本方法の第２の態様に従い、既定の線９２に沿って分割され、複数の切り取られた創傷ドレッシングシステム（それぞれ、５０００ｃ及び５０００ｄ）が形成される前後の図１４の創傷ドレッシングシステム５０００を示す。既定の線９２は、２つ視認可能な目印６１（すなわち、内側スポーク２６ｅの第１の視認可能な目印６１及び内側スポーク２６ｆの第２の視認可能な目印６１、図１４も参照のこと）に一致する。創傷ドレッシングシステム５０００のドレッシング支持層２０は、分割線９２に対して非対称であるため、切り取られた創傷ドレッシングシステム（それぞれ、５０００ｃ及び５０００ｄ）は、寸法及び形状は類似しているものの、同一ではない。各切り取られた創傷ドレッシングシステムは、複数の外周支持層タブ２８を含み、これにより、切り取られた創傷ドレッシングシステムの切り取られた創傷ドレッシング２１０を処置部位に適用しやすくなっている。当業者であれば、本方法は、創傷ドレッシングシステムが少なくとも２つの視認可能な目印を含む、本開示に係る創傷ドレッシングシステムの任意の実施形態と共に使用可能であることを理解するであろう。
【００８８】
本方法の第２の態様の別の例を、図２１に示す。この図は、本方法の第２の態様に従い、２本の既定の線９２に沿って分割され、複数の切り取られた創傷ドレッシングシステム（それぞれ、５０００ｃ及び５０００ｄ）が形成される前後の図１４の創傷ドレッシングシステム５０００を示す。各既定の線９２は、２つ視認可能な目印６１（図１４も参照）に一致する。創傷ドレッシングシステム５０００のドレッシング支持層２０は、分割線９２に対して非対称であるため、切り取られた創傷ドレッシングシステム（それぞれ、５０００ｅ、５０００ｆ及び５０００ｇ）は、寸法及び形状は類似しているものの、同一ではない。各切り取られた創傷ドレッシングシステムは、複数の外周支持層タブ２８を含み、これにより、切り取られた創傷ドレッシングシステムの切り取られた創傷ドレッシング３１０を処置部位に適用しやすくなっている。加えて、各２回切り取られた創傷ドレッシングシステムの支持層は、２回切り取られた創傷ドレッシングシステムの４つの辺／縁部に沿う裏材の外周部の少なくとも一部分に沿って、裏材に接着されていない。
【００８９】
任意の実施形態において、第２の態様の方法は、少なくとも１つの視認可能な目印に沿って複数の切り取られた創傷ドレッシングシステムのうちの１つを分割して、２回切り取られた創傷ドレッシングシステムを作製することを更に含むことができ、該２回切り取られた創傷ドレッシングシステムは、少なくとも１つの外周支持層タブを含む。これらの実施形態では、切り取られた創傷ドレッシングシステムのうちの１つの切り取られた創傷ドレッシングを適用することは、２回切り取られた創傷ドレッシングシステムのうちの１つの２回切り取られた創傷ドレッシングを適用することを含む。
【００９０】
図２２は、既定の線９０に沿って分割する前後の図２０の切り取られた創傷ドレッシングシステム５０００ｃ及び５０００ｄを示す。既定の線９０は、創傷ドレッシングシステム５０００の間隙５０と一致する（図１４参照）。切り取られた創傷ドレッシングシステム５０００ｃ及び５０００ｄのドレッシング支持層２０は、既定の線９０に対して非対称であるため、得られる２回切り取られた創傷ドレッシングシステム（それぞれ、５１０４、５１０５、５１０６及び５１０７）は、寸法及び形状は類似しているものの、同一ではない。有利なことに、各２回切り取られた創傷ドレッシングシステムは、少なくとも１つの外周支持層タブ２８を含み、これにより、２回切り取られた創傷ドレッシングシステムの２回切り取られた創傷ドレッシング２１１を処置部位に適用しやすくなっている。
【００９１】
図２３は、既定の線９０に沿って分割する前後の図２１の切り取られた創傷ドレッシングシステム５０００ｅ及び５０００ｆを示す。既定の線９０は、創傷ドレッシングシステム５０００の間隙５０と一致する（図１４参照）。切り取られた創傷ドレッシングシステム５０００ｅ、５０００ｆ及び５０００ｇのそれぞれのドレッシング支持層は既定の線９０に対して対称であるが、同一ではないため、得られる２回切り取られた創傷ドレッシングシステム（それぞれ、５１０８、５１０９、及び５１１０）は、寸法及び形状は類似しているものの、同一ではない。有利なことに、各２回切り取られた創傷ドレッシングシステムは、少なくとも１つの外周支持層タブ２８を含み、これにより、２回切り取られた創傷ドレッシングシステムの２回切り取られた創傷ドレッシング３１１を処置部位に適用しやすくなっている。加えて、各２回切り取られた創傷ドレッシングシステムの支持層は、２回切り取られた創傷ドレッシングシステムの４つの別個の辺／縁部に沿う裏材の外周部の少なくとも一部分に沿って、裏材に接着されていない。
【００９２】
図２４は、本方法の第２の態様に従い、複数の既定の線９２に沿って分割され、複数の切り取られた創傷ドレッシングシステム（それぞれ、５０００ｈ、５０００ｉ及び５０００ｊ）が形成される前後の図１４の創傷ドレッシングシステム５０００を示す。既定の線９２は、２つの視認可能な目印６１又は２つの視認可能な目印６２と一致する（図１４参照）。創傷ドレッシングシステム５０００のドレッシング支持層２０は、分割線９２に対して非対称であるため、切り取られた創傷ドレッシングシステム（それぞれ、５０００ｈ、５０００ｉ及び５０００ｊ）は、寸法及び形状は類似しているものの、同一ではない。各切り取られた創傷ドレッシングシステムは、複数の外周支持層タブ２８を含み、これにより、切り取られた創傷ドレッシングシステムの切り取られた創傷ドレッシング４１０を処置部位に適用しやすくなっている。加えて、各切り取られた創傷ドレッシングシステムの支持層は、切り取られた創傷ドレッシングシステムの２つの辺／縁部に沿う裏材の外周部の少なくとも一部分に沿って、裏材に接着されていない。接着防止材料を間隙領域（図示せず）に沿って使用する場合は、支持層が、切り取られた創傷ドレッシングシステムの裏材の外周部に沿う裏材の３つの辺／縁部に接着することはない。
【００９３】
任意の実施形態において、本開示の創傷ドレッシングシステムは、任意選択的に、少なくとも１つのＲ形状（例えば、丸みのついた）角部を有する創傷ドレッシングを含んでいてもよい。図２５は、少なくとも１つのＲ形状角部１７を有する裏材３０を含む創傷ドレッシング１０を含む創傷ドレッシングシステム７０００の一実施形態を示す。創傷ドレッシングシステム７０００は、本明細書に記載されるように、並置された第１のセクション２０ａ及び第２のセクション２０ｂを含むドレッシング支持層２０を更に含む。ドレッシング支持層２０の各セクションは、上述したように、内側部分２２を含み、内側部分２２から、少なくとも４つのスポーク（例えば、外側スポーク２４及び内側スポーク２６）が側縁部に向かって延びている。ドレッシング支持層２０の各セクションのスポークのうちの少なくとも２つは、裏材３０の側縁部を超えて延び、外周支持タブ２８を形成する。本明細書に記載されるように、間隙５０が、ドレッシング支持層の第１のセクション及びセクションのセクション２０ａ及び２０ｂの接合部に配置される。創傷ドレッシングシステム７０００は、本明細書に記載されるように、任意選択的な接着防止領域４５を更に含み、これにより内側支持層タブ２９が形成されている。図２５に示すように、裏材の側縁部は、必ずしも直線である必要はない。
【００９４】
任意の実施形態において、本開示の創傷ドレッシングシステムは、図２５の創傷ドレッシングシステム７０００に示すように、ドレッシング支持層２０の内側部分２２に近接したところで広がった、かつ／又は、創傷ドレッシング１０の外周部３３に近接したところで広がった、幅寸法を有する少なくとも１つのスポーク（例えば、内側スポーク２６）を含む、ドレッシング支持層２０を、任意選択的に含んでいてもよい。有利には、この構成により、適用の際に、創傷ドレッシング１０の外周部３３及び裏材３０の中央領域に対して更なる支持が付与される。加えて、スポークの狭い部分により、更なる非被覆裏材３０がもたらされ、これによって、創傷ドレッシング１０を適用するときに、処置領域のより良好な形状適合性及び視認性がもたらされる。
【００９５】
任意の実施形態において、本開示の創傷ドレッシングシステムは、図２５の創傷ドレッシングシステム７０００に示すように、任意選択的に、曲線状間隙５０を含んでいてもよい。例えば、間隙５０は、１つ又は２つ以上の（図２５に示すような）Ｓ型を画定していてもよく、又は、円鋸歯状、銃眼状若しくは扇形縁の形状を取っていてもよい。曲線状形状により、創傷ドレッシング１０の長さに対して、相当に長い間隙５０を提供することができ、このことにより、ドレッシングを処置部位に適用するときに、使用者にとって内側支持層タブを見つけて、把持することが著しく容易になる。
【００９６】
本開示の創傷ドレッシングシステム内の吸収性パッド８０は、存在する場合には、不織布、発泡体、ヒドロコロイド又はヒドロゲルパッドを含むことが好ましい。本開示の創傷ドレッシングシステムの任意の実施形態において、裏材３０は、０．１５ｍｍ以下（例えば、最も好ましくは０．０１５〜０．１００ｍｍ）の厚みを有する透明な弾性高分子フィルム（例えば、ウレタン）を含むことができる。吸収性パッド８０を含む実施形態では、パッドは、フィルム裏材３０よりも厚く、堅く、かつ重いことが理解されるであろう。
【００９７】
記載された実施形態は、代表的な例であり、ある実施形態の特徴を、他の実施形態と合わせて使用することもできる。例えば、ブリッジ部材を図１〜図４の創傷ドレッシングシステム１０００の実施形態に加えてもよい。
【００９８】
裏材材料
好適な裏材３０としては、例えば、不織布繊維ウェブ、織布繊維ウェブ、編地、フィルム、及び他の良く知られた裏材材料が挙げられる。好ましい裏材材料は、半透明又は透明の高分子弾性フィルムである。裏材は、高水蒸気透過性フィルム裏材であることが最も好ましい。米国特許第３，６４５，８３５号（その開示は参照により本明細書に組み込まれる）は、このようなフィルムの作製方法、及びそれらの透過性を試験する方法を開示する。
【００９９】
好ましくは、フィルム／粘着剤複合材は、ヒトの皮膚と同等か、又はそれを超える速度で水蒸気を透過させるべきである。好ましくは、粘着剤コーティングされたフィルムは、逆カップ法を使用すると、少なくとも３００ｇ／ｍ２／２４時間／３７℃／１００−１０％  ＲＨ、より好ましくは、少なくとも７００ｇ／ｍ２／２４時間／３７℃／１００−１０％  ＲＨ、最も好ましくは、少なくとも２０００ｇ／ｍ２／２４時間／３７℃／１００−１０％  ＲＨの速度で、水蒸気を透過させる。
【０１００】
裏材は、解剖学的表面に対して形状適合性があるのが好ましい。そのため、裏材が解剖学的表面に適用されたときに、その面が動いた場合であっても、その面に適合する。また、裏材は、動物の解剖学的関節に対しても形状適合性であることが好ましい。関節が屈曲した後に非屈曲位置に戻るとき、裏材は、伸長して関節の屈曲に対応するが、関節が非屈曲状態に戻るとき、関節へ形状適合し続けるのに十分な回復力がある。裏材は、２００％を超える破断点伸びを有することが好ましい。裏材は、４００％を超える破断点伸びを有することが更に好ましい。
【０１０１】
本開示の創傷ドレッシングシステムと共に使用するために好ましい裏材のこの特性の記述は、公開された米国特許第５，０８８，４８３号、及び同第５，１６０，３１５号に見出すことができ、それらの開示全体が参照により本明細書に組み込まれる。特に好ましい裏材は、エラストマー性のポリウレタン、コポリエステル、又はポリエーテルブロックアミドのフィルムである。これらのフィルムは、好ましい裏材に見られる回復力、高い水蒸気透過性、及び透明性という望ましい特性を併せ持っている。
【０１０２】
粘着剤
粘着剤４０として、任意の感圧粘着剤を使用することが可能であるが、好ましい粘着剤としては、軟質シリコーン粘着剤、クレイトン系粘着剤、ヒドロコロイド粘着剤、又は米国再発行特許第ＲＥ  ２４，９０６号（その開示全体が参照により本明細書に組み込まれる）に記載されるアクリレートコポリマーなど、適度に皮膚適合性がある感圧粘着剤が挙げられる。特に好ましいものは、イソオクチルアクリレート：アクリルアミドが９７：３のコポリマーである。また、米国特許第４，７３７，４１０号（その開示全体が参照により本明細書に組み込まれる）に記載されている（実施例３１）ような、イソオクチルアクリレート：エチレンオキシドアクリレート：アクリル酸が７０：１５：１５のターポリマーも好ましい。他の有用な粘着剤は、米国特許第３，３８９，８２７号、同第４，１１２，２１３号、同第４，３１０，５０９号、及び同第４，３２３，５５７号に記載されており、それらの開示全体が参照により本明細書に組み込まれる。米国特許第４，３１０，５０９号、及び同４，３２３，５５７号（両方とも開示全体が参照により本明細書に組み込まれる）に記載されるように、粘着剤中に薬剤、又は抗菌剤を含めることもまた想定されている。
【０１０３】
上述した好ましい感圧粘着剤は、好ましくは、ヒトの皮膚を超えるか、又はそれと同等の速度で水蒸気を透過させる。適切な粘着剤の選択を介して、又は不織布（例えば、メルトブローン）粘着剤（米国特許第６，１７１，９８５号、同第６，３６８，６８７号、及びＰＣＴ公報ＷＯ  ９９／２７９７５号（それらの開示全体が参照により本明細書に組み込まれる）に記載されているようなもの）の使用を介して、こうした特性を得ることができるが、本発明では、裏材への粘着剤のパターンコーティングなど、相対的に高速な水蒸気の透過を達成する他の方法を使用し得ることも想定されている。
【０１０４】
吸収性パッド材料
吸収性パッド８０は、発泡体、ゲル、ヒドロコロイド、織布若しくは不織布など、様々な材料のいずれかで製造することができる。吸収性パッド８０は、抗菌剤、経皮的薬物送達のための薬物、患者のホルモン又は他の物質をモニターするための化学指示薬などを含む、多数の物質を含有させるのに有用である。
【０１０５】
吸収性基材を提供する好ましい島状パッドは、皮膚に適用される通常の粘着剤、又は米国特許第５，６２２，７１１号、及び同第５，６３３，０１０号（それらの開示全体が参照により本明細書に組み込まれる）に記載のヒドロコロイド組成物を含む。ヒドロコロイド吸収剤は、ペクチン、ゼラチン又はカルボキシメチルセルロース（ＣＭＣ）（Ａｑｕａｌｏｎ  Ｃｏｒｐ．，Ｗｉｌｍｉｎｇｔｏｎ，Ｄｅｌ．）などの天然ヒドロコロイド、架橋カルボキシメチルセルロース（ｘ−リンクＣＭＣ）（例えば、Ａｃ−Ｄｉ−Ｓｏｌ（ＦＭＣ  Ｃｏｒｐ．，Ｐｈｉｌａｄｅｌｐｈｉａ，Ｐａ．））などの半合成ヒドロコロイド、架橋ポリアクリル酸（ＰＡＡ）（例えば、ＣＡＲＢＯＰＯＬ  Ｎｏ．９７４Ｐ（Ｂ．Ｆ．Ｇｏｏｄｒｉｃｈ，Ｂｒｅｃｋｓｖｉｌｌｅ，Ｏｈｉｏ））などの合成ヒドロコロイド、又はこれらの組み合わせを含んでもよい。好ましくは、ヒドロコロイド吸収剤成分は、約５重量％〜約６０重量％の粘着剤組成物を含む。創傷ドレッシングに使用する粘着防止組成物を調製する場合、ヒドロコロイド吸収剤は、好ましくは、組成物に約２０重量％〜約４０重量％含まれる。
【０１０６】
剥離ライナー材料
剥離ライナー９０は、クラフト紙、ポリエチレン、ポリプロピレン、ポリエステル、又はこれらの物質の任意の複合体で作製することができる。ライナーは、好ましくは、フルオロ化合物又はシリコーンなどの剥離剤でコーティングされる。例えば、米国特許第４，４７２，４８０号は、低表面エネルギーのペルフルオロ化合物ライナーを記載しており、その開示全体が参照により本明細書に組み込まれる。好ましいライナーは、シリコーン剥離材料でコーティングした、紙、ポリオレフィンフィルム、又はポリエステルフィルムである。市販のシリコーンコーティング剥離紙の例は、Ｌｏｐａｒｅｘ（Ｃａｒｙ，ＮＣ）から入手可能なシリコーン剥離紙、又はＨｕｈｔａｍａｋｉ（Ｆｏｒｃｈｈｅｉｍ，Ｇｅｒｍａｎｙ）から入手可能なシリコーンコーティングポリフィルムである。
【０１０７】
粘着剤とライナーのその他の組み合わせを本発明による実施形態と共に用いることが想定されている。当業者は、最終製品における望ましい質の組み合わせに到達するように、異なるライナーに対して新たな粘着剤を、又は異なる粘着剤に対して新たなライナーを試験するプロセスを熟知しているであろう。シリコーン剥離ライナーの選択に適切な考察は、Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ、Ｖａｎ  Ｎｏｓｔｒａｎｄ−Ｒｅｉｎｈｏｌｄ，１９８２、ｐｐ．３８４〜４０３の１８章で確認することができる。また、米国特許第４，４７２，４８０号も、ペルフルオロポリエーテル剥離ライナーの選択に適切な考察を記載している。
【０１０８】
ライナーは、広範な専売の配合で、様々な製造業者から入手可能である。当業者は、通常、選択した粘着剤に対するシミュレーションされた使用条件において、それらのライナーに対して試験を行うことにより、所望の剥離特性を有する製品に到達することができる。
【０１０９】
ドレッシング支持層材料
ドレッシング支持層２０及びそのセクションを提供するのに使用される好ましいドレッシング支持層材料は、適用中に裏材にしわが寄るのを防止するために、裏材３０よりも実質的により剛性が高いことが好ましい。ドレッシング支持層材料は、上記の低粘着コーティングと共に、又は低粘着コーティングなしで、裏材３０に対してヒートシール可能であってもよい。一般的に、好ましいドレッシング支持層材料としては、ポリエチレン／ビニルアセテートコポリマーでコーティングされた紙、及びポリエステルフィルムが挙げられるが、これらに限定されない。好ましい担体材料の一例は、Ｌｏｐａｒｅｘ（Ｃａｒｙ，ＮＣ）より市販されている、ポリエチレン／ビニルアセテートコポリマーでコーティングされた、スーパーカレンダー加工されたクラフト紙である。
【０１１０】
例示的実施形態
実施形態Ａは、創傷ドレッシングシステムであって、
第１の端部と、該第１の端部の反対側の第２の端部と、該第１の端部から該第２の端部へと延びる長手方向軸線と、を有する、創傷ドレッシングであって、該創傷ドレッシングは、
弾性フィルム裏材であって、該裏材は、第１の主表面と、該第１の主表面の反対側の第２の主表面と、第１及び第２の側縁部を含む外周部と、を含み、該側縁部は、該第１の端部から該第２の端部へと延びる、弾性フィルム裏材と、
該第１の主表面上に配置される粘着剤と、を含む、創傷ドレッシングと、
該裏材の該第２の主表面上に取り外し可能に取り付けられる、並置された第１及び第２のセクションを含むドレッシング支持層であって、該並置された第１及び第２のセクションは、該セクション間に間隙を画定し、該間隙は、実質的に該第１の端部から該第２の端部へと延びる、ドレッシング支持層と、を含み、
各セクションは、該第１の端部周辺から該第２の端部周辺に延びる内側部分と、そこから側縁部に向かって延びる少なくとも４つのスポークと、を含み、該少なくとも４つのスポークは、該第１の端部において、実質的に該外周部へと延びる第１の外側スポークと、該第２の端部において、実質的に該外周部へと延びる第２の外側スポークと、それらの間に配置された少なくとも２つの離間した内側スポークと、を含み、
各セクションの該少なくとも４つのスポークのうちの少なくとも２つは、該側縁部を超えて延びて、外周支持層タブを形成し、
該ドレッシング支持層は、該裏材の複数の被覆部分及び非被覆部分を画定する、創傷ドレッシングシステムである。
【０１１１】
実施形態Ｂは、前記創傷ドレッシングが、前記第１の端部から前記第２の端部へと延びる中心軸線を含む、実施形態Ａの創傷ドレッシングシステムである。
【０１１２】
実施形態Ｃは、前記第１及び第２の側縁部が、前記長手方向軸線に実質的に平行に延びる、実施形態Ａ又はＢの創傷ドレッシングである。
【０１１３】
実施形態Ｄは、前記複数の非被覆部分が、前記第１の側縁部に沿った少なくとも２つの非被覆部分と、前記第２の側縁部に沿った少なくとも２つの非被覆部分と、を含む、実施形態Ａ〜Ｃのいずれか１つの創傷ドレッシングシステムである。
【０１１４】
実施形態Ｅは、前記ドレッシング支持層のうちの少なくとも１つのセクションのうちの少なくとも１つの外側スポークが、前記第１の側縁部又は前記第２の側縁部の一部分に沿って延びる、実施形態Ａ〜Ｄのいずれか１つの創傷ドレッシングである。
【０１１５】
実施形態Ｆは、前記第１のセクションの前記内側スポークのうちの少なくとも１つは、前記第２のセクションの前記内側スポークのうちの１つの実質的に反対方向に、前記第１の側縁部に向かって延びる、実施形態Ａ〜Ｅのいずれか１つに記載の創傷ドレッシングシステム、先行する請求項のいずれか一項に記載の創傷ドレッシングシステムである。
【０１１６】
実施形態Ｇは、前記第１のセクションの複数の内側スポークのそれぞれが、前記第２のセクションの前記内側スポークのうちの１つの実質的に反対方向に、前記第１の側縁部に向かって延びる、実施形態Ｆの創傷ドレッシングである。
【０１１７】
実施形態Ｈは、前記セクションのうちの少なくとも１つの前記第１の外側スポークが、前記第１の端部及び／又は前記第２の端部において、前記裏材の前記外周部の一部分に沿って延びる、実施形態Ａ〜Ｇのいずれか１つに記載の創傷ドレッシングシステムである。
【０１１８】
実施形態Ｉは、前記第１の外側スポークが、前記第１の端部において、前記外周部の少なくとも２０％に沿って延び、かつ／又は前記第２の外側スポークは、前記第２の端部において、前記外周部の少なくとも２０％に沿って延びる、実施形態Ｈの創傷ドレッシングシステムである。
【０１１９】
実施形態Ｊは、前記創傷ドレッシングの前記第１の端部における、前記第１のセクションの前記外側スポークが、外周支持層タブを含み、前記第１のセクションの他のスポークのそれぞれが、前記第１の端部から前記第２の端部へと順に、外周支持層タブを有さないスポークと外周支持層タブを有するスポークとが交互になっている、実施形態Ａ〜Ｉのいずれか１つに記載の創傷ドレッシングシステムである。
【０１２０】
実施形態Ｋは、前記ドレッシングの前記第１の端部における、前記第２のセクションの前記外側スポークが、外周支持層タブを含み、前記第２のセクションの他のスポークのそれぞれが、前記第１の端部から前記第２の端部へと順に、外周支持層タブを有さないスポークと外周支持層タブを有するスポークとが交互になっている、実施形態Ａ〜Ｊのいずれか１つに記載の創傷ドレッシングシステムである。
【０１２１】
実施形態Ｌは、前記創傷ドレッシングの前記第１の端部における、前記第１のセクションの前記外側スポークが、外周支持層タブを含まず、前記第１のセクションの他のスポークのそれぞれが、前記第１の端部から前記第２の端部へと順に、外周支持層タブを有するスポークと外周支持層タブを有さないスポークとが交互になっている、実施形態Ａ〜Ｉのいずれか１つに記載の創傷ドレッシングシステム。
【０１２２】
実施形態Ｍは、前記創傷ドレッシングの前記第１の端部における、前記第２のセクションの前記外側スポークが、外周支持層タブを含み、前記第２のセクションの他のスポークのそれぞれが、前記第１の端部から前記第２の端部へと順に、外周支持層タブを有さないスポークと外周支持層タブを有するスポークとが交互になっている、実施形態Ａ〜Ｉのいずれか１つに記載の創傷ドレッシングシステムである。
【０１２３】
実施形態Ｎは、前記内側スポーク及び前記外側スポークのそれぞれが、外周支持層タブを含む、実施形態Ａ〜Ｉのいずれか１つに記載の創傷ドレッシングシステムである。
【０１２４】
実施形態Ｏは、前記ドレッシング支持層の各セクションが、３つの内側スポークを含む、実施形態Ａ〜Ｎのいずれか１つの創傷ドレッシングシステムである。
【０１２５】
実施形態Ｐは、前記ドレッシング支持層の各セクションが、５つの内側スポークを含む、実施形態Ａ〜Ｏのいずれか１つの創傷ドレッシングシステムである。
【０１２６】
実施形態Ｑは、各セクションの前記内側スポークのうちの少なくとも１つが、前記長手方向軸線に垂直である線に実質的に沿って延びる、実施形態Ａ〜Ｐのいずれか１つの創傷ドレッシングシステムである。
【０１２７】
実施形態Ｒは、各セクションの複数の内側スポークが、それぞれ前記長手方向軸線に実質的に垂直である線に沿って延びる、実施形態Ａ〜Ｑのいずれか１つの創傷ドレッシングシステムである。
【０１２８】
実施形態Ｓは、前記第１のセクションの前記内側スポークのうちの少なくとも１つ、及びその反対方向の、前記第２のセクションにおいて対応する内側スポークが、視認可能な目印をそれぞれ含む、実施形態Ｆ又はその従属実施形態のいずれか１つに記載の創傷ドレッシングシステム。
【０１２９】
実施形態Ｔは、前記内側スポークのそれぞれが、視認可能な目印を含む、実施形態Ｓの創傷ドレッシングシステムである。
【０１３０】
実施形態Ｕは、前記視認可能な目印のそれぞれが、前記スポークに沿って延びる線を形成し、第１の線が、前記第１のセクションの前記内側スポークのうちの前記少なくとも１つの長手方向軸線に沿って延び、第２の線が、その反対方向の、前記第２のセクションにおいて対応する前記内側スポークの長手方向軸線に沿って延びる、実施形態Ｓ又は実施形態Ｔの創傷ドレッシングシステムである。
【０１３１】
実施形態Ｖは、前記視認可能な目印が、前記ドレッシング支持層の弱い領域を含み、該弱い領域により、既定の経路に沿って前記創傷ドレッシングの折畳みを容易にする前記ドレッシング支持層の一部分が画定される、実施形態Ｓ〜Ｕのいずれか１つに記載の創傷ドレッシングシステムである。
【０１３２】
実施形態Ｗは、前記複数の非被覆部分が、第１の端部又は前記第２の端部における、前記外周部に沿った非被覆部分を含む、実施形態Ａ〜Ｖのいずれか１つに記載の創傷ドレッシングシステムである。
【０１３３】
実施形態Ｘは、前記複数の非被覆部分が、前記間隙の一部を形成する非被覆部分を含む、実施形態Ａ〜Ｗのいずれか１つに記載の創傷ドレッシングシステムである。
【０１３４】
実施形態Ｙは、前記ドレッシング支持層が、前記裏材と重なり、かつ前記内側部分から離間したブリッジ部材を含み、該ブリッジ部材が、第１のスポークを該第１のスポークに隣接する第２のスポークに連結し、該第１のスポーク、該第２のスポーク、該内側部分及び該ブリッジ部材が、前記裏材の非被覆部分を画定する、実施形態Ａ〜Ｘのいずれか１つの創傷ドレッシングシステムである。
【０１３５】
実施形態Ｚは、前記ブリッジ部材が、前記隣接するスポークが延びる前記内側部分に近接する内側縁を含み、前記第１のスポークに近接する該内側縁の最近点が、該内側縁の他のいずれの点よりも前記ドレッシング支持層の前記内側部分に近く、該最近点が、前記隣接するスポークの１つに当接している、実施形態Ｙの創傷ドレッシングシステムである。
【０１３６】
実施形態ＡＡは、前記ブリッジ部材が、前記第１又は第２の側縁部の少なくとも一部分に沿って延びる、実施形態Ｙ又は実施形態Ｚの創傷ドレッシングシステムである。
【０１３７】
実施形態ＢＢは、前記ブリッジ部材の少なくとも一部が、前記第１又は第２の側縁部の前記一部分を超えて、側方に延びる、実施形態ＡＡの創傷ドレッシングシステムである。
【０１３８】
実施形態ＣＣは、前記第１又は第２の側縁部を超えて延びる前記ブリッジ部材の前記一部が、外周支持層タブに連結される、実施形態ＢＢの創傷ドレッシングシステムである。
【０１３９】
実施形態ＤＤは、前記ドレッシングが、複数のブリッジ部材を含み、第１のブリッジ部材が、前記第１のスポークと前記第２のスポークを連結し、第２のブリッジ部材が、第４のスポークに隣接する第３スポークを連結している、実施形態Ｙ〜ＣＣのいずれか１つに記載の創傷ドレッシングシステムである。
【０１４０】
実施形態ＥＥは、前記ドレッシング支持層の前記第１のセクションが、前記第１及び第２のスポークを含み、前記ドレッシング支持層の前記第２のセクションが、前記第３及び第４のスポークを含む、実施形態ＤＤの創傷ドレッシングシステムである。
【０１４１】
実施形態ＦＦは、前記第１、第２、第３又は第４のスポークのうちの少なくとも１つが、外側スポークである、実施形態ＤＤ又は実施形態ＥＥの創傷ドレッシングシステムである。
【０１４２】
実施形態ＧＧは、
前記ドレッシング支持層は、前記第１のセクションの第１の内側スポークと、前記第２のセクションの第２の内側スポークを含み、
該第１の内側スポーク及び該第２の内側スポークはいずれも、目印の線を含み、
該第１の内側スポークは、該第２の内側スポークと反対方向に、前記長手方向軸線から離れるように延び、
該目印の線によって画定された線に沿って前記システムを切断することにより、ほぼ等しい寸法のより小さい創傷ドレッシングシステムが２つ作製される、実施形態Ｓ又はその従属実施形態のいずれか１つの創傷ドレッシングシステムである。
【０１４３】
実施形態ＨＨは、前記粘着剤に剥離可能に付着される線を更に含む、実施形態Ａ〜ＧＧのいずれか１つに記載の創傷ドレッシングシステムである。
【０１４４】
実施形態ＩＩは、前記ライナーが、少なくとも２つの別個の部分を含む、実施形態ＨＨの創傷ドレッシングシステムである。
【０１４５】
実施形態ＪＪは、前記ライナーが、前記裏材の前記外周縁を超えて延びる、少なくとも１つのライナータブを更に含む、実施形態ＨＨ又は実施形態ＩＩの創傷ドレッシングシステムである。
【０１４６】
実施形態ＫＫは、前記少なくとも１つのライナータブの少なくとも一部分が、外周支持層タブと重なっている、実施形態ＨＨ〜ＪＪのいずれか１つの創傷ドレッシングシステムである。
【０１４７】
実施形態ＬＬは、前記裏材の前記第２の主表面上に接着防止領域を更に含み、前記支持層は、該接着防止領域において、前記裏材の前記第２の主表面に接着されない、実施形態Ａ〜ＫＫのいずれか１つに記載の創傷ドレッシングシステムである。
【０１４８】
実施形態ＭＭは、前記間隙の一部分が、前記接着防止領域と重なっている、実施形態ＬＬの創傷ドレッシングシステムである。
【０１４９】
実施形態ＮＮは、前記間隙全体が、前記接着防止領域と重なっている、実施形態ＭＭの創傷ドレッシングシステムである。
【０１５０】
実施形態ＯＯは、前記間隙に近接した前記接着防止領域に重なる前記ドレッシング支持層の一部分が、内側支持層タブを形成する、実施形態ＭＭ又は実施形態ＮＮの創傷ドレッシングシステムである。
【０１５１】
実施形態ＰＰは、前記接着防止領域が、前記中心軸線に近接して配置される、実施形態Ｂに従属する場合の実施形態ＭＭ〜実施形態ＯＯのいずれか１つの創傷ドレッシングシステムである。
【０１５２】
実施形態ＱＱは、前記中心軸線が、ドレッシング支持層の対称軸を形成している、実施形態Ｂ〜実施形態ＰＰのいずれか１つの創傷ドレッシングシステムである。
【０１５３】
実施形態ＲＲは、前記裏材の少なくとも１つの角部が、曲線を画定する、実施形態Ａ〜ＱＱのいずれか１つの創傷ドレッシングシステムである。
【０１５４】
実施形態ＳＳは、
実施形態Ａ〜実施形態ＲＲのいずれか１つの創傷ドレッシングシステムを分割することであって、前記創傷ドレッシングシステムを分割することは、前記間隙によって実質的に画定される線に沿って前記創傷ドレッシングを分割して、複数の切り取られた創傷ドレッシングシステムを作製することを含み、各切り取られた創傷ドレッシングシステムは、切り取られた創傷ドレッシングと、少なくとも１つの外周支持層タブを含む、分割することと、
該切り取られた創傷ドレッシングシステムのうちの１つの該切り取られた創傷ドレッシングを処置部位に適用することと、を含む、方法である。
【０１５５】
実施形態ＴＴは、少なくとも１つの視認可能な目印に沿って前記複数の切り取られた創傷ドレッシングシステムのうちの１つを分割して、２回切り取られた創傷ドレッシングシステムを作製することを更に含み、該２回切り取られた創傷ドレッシングシステムは、２回切り取られた創傷ドレッシングと、少なくとも１つの外周支持層タブを含み、前記切り取られた創傷ドレッシングシステムのうちの１つの前記切り取られた創傷ドレッシングを適用することは、該２回切り取られた創傷ドレッシングシステムのうちの１つの該２回切り取られた創傷ドレッシングを適用することを含む、実施形態Ｓ又はその従属実施形態のいずれか１つに従属する場合の実施形態ＳＳの方法である。
【０１５６】
実施形態ＵＵは、
実施形態Ｓ、又はその従属実施形態のいずれか１つの創傷ドレッシングを分割することであって、前記創傷ドレッシングを分割することは、任意の２つ以上の視認可能な目印に沿って前記ドレッシングを分割して、複数の切り取られた創傷ドレッシングシステムを作製することを含み、各切り取られた創傷ドレッシングシステムは、切り取られた創傷ドレッシングと、少なくとも１つの外周支持層タブを含む、分割することと、
該切り取られた創傷ドレッシングシステムのうちの１つの該切り取られた創傷ドレッシングを処置部位に適用することと、を含む、方法である。
【０１５７】
実施形態ＶＶは、前記間隙によって実質的に画定された線に沿って、前記複数の切り取られた創傷ドレッシングシステムのうちの１つを分割して、複数の２回切り取られた創傷ドレッシングシステムを作製することを更に含み、各２回切り取られた創傷ドレッシングシステムは、２回切り取られた創傷ドレッシングと、少なくとも１つの外周支持層タブを含み、前記切り取られた創傷ドレッシングシステムのうちの１つの前記切り取られた創傷ドレッシングを適用することは、該２回切り取られた創傷ドレッシングシステムのうちの１つの該２回切り取られた創傷ドレッシングを適用することを含む、実施形態ＵＵの方法である。
【０１５８】
実施形態ＷＷは、創傷ドレッシングシステムであって、
第１の端部と、該第１の端部の反対側の第２の端部と、該第１の端部から該第２の端部へと延びる長手方向軸線と、を有する、創傷ドレッシングであって、該創傷ドレッシングは、
弾性フィルム裏材であって、該裏材は、第１の主表面と、該第１の主表面の反対側の第２の主表面と、第１及び第２の側縁部を含む外周部と、を含み、該側縁部は、該第１の端部から該第２の端部へと延びる、弾性フィルム裏材と、
該第１の主表面上に配置される粘着剤と、を含む、創傷ドレッシングと、
該裏材層の該第２の主表面上に取り外し可能に取り付けられる、並置された第１及び第２のセクションを含む複数のセクションを含むドレッシング支持層であって、該並置された第１及び第２のセクションは、実質的に該第１の端部から該第２の端部へと延びる、間隙を画定する、ドレッシング支持層と、を含み、
該第１及び第２のセクションは、該第１の端部周辺から該第２の端部周辺へと延びる内側部分をそれぞれ含み、
該ドレッシング支持層は、該第１の側縁部に近接している第１の内側部分から第１の側縁部に向かって延びる少なくとも４つのスポークと、該第２の側縁部に近接している第２の内側部分から第２の側縁部に向かって延びる少なくとも４つのスポークを含み、
該少なくとも４つのスポークは、該第１の端部において、該外周部へと延びる第１の外側スポークと、該第２の端部において、該外周部へと延びる第２の外側スポークと、それらの間に配置された少なくとも２つの離間した内側スポークと、を含み、
該少なくとも４つのスポークのうちのそれぞれの少なくとも２つは、該側縁部を超えて延びて、外周支持層タブを形成し、
該ドレッシング支持層は、該裏材層の複数の被覆部分及び非被覆部分を画定する、創傷ドレッシングシステムである。
【０１５９】
実施形態ＸＸは、前記第１及び第２の側縁部は、前記長手方向軸線に実質的に平行に延びる、実施形態ＷＷの創傷ドレッシングシステムである。
【０１６０】
実施形態ＹＹは、前記複数の非被覆部分が、前記第１の側縁部に沿った少なくとも２つの非被覆部分と、前記第２の側縁部に沿った少なくとも２つの非被覆部分と、を含む、実施形態ＷＷ又は実施形態ＸＸの創傷ドレッシングシステムである。
【０１６１】
実施形態ＺＺは、前記ドレッシング支持層の少なくとも１つの外側スポークが、前記第１の側縁部又は前記第２の側縁部の一部分に沿って延びる、実施形態ＷＷ〜実施形態ＹＹのいずれか１つの創傷ドレッシングである。
【０１６２】
実施形態ＡＡＡは、少なくとも１つの内側スポークが、前記第２の側縁部に向かって延びる内側スポークの実質的に反対方向に、前記第１の側縁部に向かって延びる、実施形態ＷＷ〜実施形態ＺＺのいずれか１つの創傷ドレッシングシステムである。
【０１６３】
実施形態ＢＢＢは、前記第１の側縁部に向かって延びる、前記内側スポークのうちの前記少なくとも１つ、及び、前記第２の側縁部に向かって延びる、その反対方向の前記内側スポークが、視認可能な目印をそれぞれ含む、実施形態ＡＡＡの創傷ドレッシングシステムである。
【０１６４】
実施形態ＣＣＣは、少なくとも３つの内側スポークが、第１の内側部分から前記第１の側縁部に向かって延び、少なくとも３つの内側スポークが、第２の内側部分から前記第２の側縁部に向かって延びる、実施形態ＷＷ〜ＢＢＢのいずれか１つの創傷ドレッシングシステムである。
【０１６５】
本発明の目的及び利点は、以下の実施例によって更に例示されるが、これらの実施例において詳述される特定の材料及びその量は、他の諸条件及び詳細と同様に、本発明を不当に制限するように解釈すべきではない。
【実施例】
【０１６６】
（実施例１）
図１４に示す創傷ドレッシングシステム５０００と類似した創傷ドレッシングシステムを、ドレッシング支持層を切断するためにダイを使用したこと、及び最終製品を本開示の図１４に示すような、裏材の被覆領域と非被覆領域のパターンが作製されるように変更したことを除き、米国特許第５，５３１，８５５号の実施例１に記述されているものと類似した材料及びプロセスを用いて作製した。ドレッシング支持層を裏材に対してヒートシールする前に、３Ｍ  ＭＩＣＲＯＰＯＲＥ  Ｔａｐｅ（３Ｍ  Ｃｏｍｐａｎｙ，Ｓｔ．Ｐａｕｌ，ＭＮ）を含む接着防止部を、ドレッシングの中心軸線に近接した領域（すなわち、本開示の図１に示す接着防止領域４５）に沿ってラミネートした。
【０１６７】
本明細書に引用する全ての特許、特許出願、及び公開公報、並びに電子的に入手可能な資料の開示内容の全体を、参照により組み込む。本出願の開示内容と本明細書に組み込まれたいずれかの文献の開示内容との間になんらかの矛盾が存在する場合には、本出願の開示内容が優先されるものとする。上記の発明を実施するための形態及び実施例は、あくまで明確に理解されるよう示したものである。これらによって不要な限定をするものと理解されるべきではない。本発明は、図示及び説明された厳密な詳細に限定されるものではなく、当業者には明らかな変形例は特許請求の範囲によって定義された本発明に含まれるものとする。
【０１６８】
全ての見出しは読者の便宜のためのものであって、特に断らない限り、見出しの後に続く文面の意味を限定するために使用されるものではない。
【０１６９】
本発明の趣旨及び範囲から逸脱することなく様々な改変を行うことが可能である。これら及び他の実施形態は、以下の特許請求の範囲内である。
【図１】
2017500970.tif 000003
【図２】
2017500970.tif 000004
【図３】
2017500970.tif 000005
【図４】
2017500970.tif 000006
【図５】
2017500970.tif 000007
【図６】
2017500970.tif 000008
【図７】
2017500970.tif 000009
【図８】
2017500970.tif 000010
【図９】
2017500970.tif 000011
【図１０】
2017500970.tif 000012
【図１１】
2017500970.tif 000013
【図１２】
2017500970.tif 000014
【図１３】
2017500970.tif 000015
【図１４】
2017500970.tif 000016
【図１５】
2017500970.tif 000017
【図１６ａ】
2017500970.tif 000018
【図１６ｂ】
2017500970.tif 000019
【図１６ｃ】
2017500970.tif 000020
【図１７】
2017500970.tif 000021
【図１８】
2017500970.tif 000022
【図１９】
2017500970.tif 000023
【図２０】
2017500970.tif 000024
【図２１】
2017500970.tif 000025
【図２２】
2017500970.tif 000026
【図２３】
2017500970.tif 000027
【図２４】
2017500970.tif 000028
【図２５】
2017500970.tif 000029
【手続補正書】
【提出日】平成28年6月29日(2016.6.29)
【手続補正１】
【補正対象書類名】明細書
【補正対象項目名】０１６９
【補正方法】変更
【補正の内容】
【０１６９】
本発明の趣旨及び範囲から逸脱することなく様々な改変を行うことが可能である。これら及び他の実施形態は、以下の特許請求の範囲内である。
本発明の実施態様の一部を以下の項目［１］−［２０］に記載する。
[１]
創傷ドレッシングシステムであって、
第１の端部と、該第１の端部の反対側の第２の端部と、該第１の端部から該第２の端部へと延びる長手方向軸線と、を有する、創傷ドレッシングであって、該創傷ドレッシングは、
弾性フィルム裏材であって、該裏材は、第１の主表面と、該第１の主表面の反対側の第２の主表面と、第１及び第２の側縁部を含む外周部と、を含み、該側縁部は、該第１の端部から該第２の端部へと延びる、弾性フィルム裏材と、
該第１の主表面上に配置される粘着剤と、を含む、創傷ドレッシングと、
該裏材の該第２の主表面上に取り外し可能に取り付けられる、並置された第１及び第２のセクションを含むドレッシング支持層であって、該並置された第１及び第２のセクションは、該セクション間に間隙を画定し、該間隙は、実質的に該第１の端部から該第２の端部へと延びる、ドレッシング支持層と、を含み、
各セクションは、該第１の端部周辺から該第２の端部周辺に延びる内側部分と、そこから側縁部に向かって延びる少なくとも４つのスポークと、を含み、該少なくとも４つのスポークは、該第１の端部において、実質的に該外周部へと延びる第１の外側スポークと、該第２の端部において、実質的に外周部へと延びる第２の外側スポークと、それらの間に配置された少なくとも２つの離間した内側スポークと、を含み、
各セクションの該少なくとも４つのスポークのうちの少なくとも２つは、該側縁部を超えて延びて、外周支持層タブを形成し、
該ドレッシング支持層は、該裏材の複数の被覆部分及び非被覆部分を画定する、創傷ドレッシングシステム。
[２]
前記第１及び第２の側縁部は、前記長手方向軸線に実質的に平行に延びる、項目１に記載の創傷ドレッシング。
[３]
前記複数の非被覆部分は、前記第１の側縁部に沿った少なくとも２つの非被覆部分と、前記第２の側縁部に沿った少なくとも２つの非被覆部分と、を含む、項目１又は２に記載の創傷ドレッシングシステム。
[４]
前記ドレッシング支持層のうちの少なくとも１つのセクションのうちの少なくとも１つの外側スポークは、前記第１の側縁部又は前記第２の側縁部の一部分に沿って延びる、項目１〜３のいずれか一項に記載の創傷ドレッシング。
[５]
前記第１のセクションの前記内側スポークのうちの少なくとも１つは、前記第２のセクションの前記内側スポークのうちの１つの実質的に反対方向に、前記第１の側縁部に向かって延びる、項目１〜４のいずれか一項に記載の創傷ドレッシングシステム。
[６]
前記セクションのうちの少なくとも１つの前記第１の外側スポークは、前記第１の端部及び／又は前記第２の端部において、前記裏材の前記外周部の一部分に沿って延びる、項目１〜５のいずれか一項に記載の創傷ドレッシングシステム。
[７]
前記第１の外側スポークは、前記第１の端部において、前記外周部の少なくとも２０％に沿って延び、かつ／又は前記第２の外側スポークは、前記第２の端部において、前記外周部の少なくとも２０％に沿って延びる、項目１〜６のいずれか一項に記載の創傷ドレッシングシステム。
[８]
前記ドレッシングの前記第１の端部における、前記第１のセクションの前記外側スポークは、外周支持層タブを含み、前記第１のセクションの他のスポークのそれぞれは、前記第１の端部から前記第２の端部へと順に、外周支持層タブを有さないスポークと外周支持層タブを有するスポークとが交互になっている、項目１〜７のいずれか一項に記載の創傷ドレッシングシステム。
[９]
前記ドレッシング支持層の各セクションは、３つの内側スポークを含む、項目１〜８のいずれか一項に記載の創傷ドレッシングシステム。
[１０]
各セクションの前記内側スポークのうちの少なくとも１つは、前記長手方向軸線に垂直である線に実質的に沿って延びる、項目１〜９のいずれか一項に記載の創傷ドレッシングシステム。
[１１]
各セクションの複数の内側スポークは、それぞれ前記長手方向軸線に実質的に垂直である線に沿って延びる、項目１〜１０のいずれか一項に記載の創傷ドレッシングシステム。
[１２]
前記第１のセクションの前記内側スポークのうちの少なくとも１つ、及びその反対方向の、前記第２のセクションにおいて対応する内側スポークは、視認可能な目印をそれぞれ含む、項目５又はその従属項目のいずれか一項に記載の創傷ドレッシングシステム。
[１３]
前記複数の非被覆部分は、第１の端部又は前記第２の端部における、前記外周部に沿った非被覆部分を含む、項目１〜１２のいずれか一項に記載の創傷ドレッシングシステム。
[１４]
前記複数の非被覆部分は、前記間隙の一部を形成する非被覆部分を含む、項目１〜１３のいずれか一項に記載の創傷ドレッシング。
[１５]
前記ドレッシング支持層は、前記裏材と重なり、かつ前記内側部分から離間したブリッジ部材を含み、該ブリッジ部材は、第１のスポークを該第１のスポークに隣接する第２のスポークに連結し、該第１のスポーク、該第２のスポーク、該内側部分及び該ブリッジ部材は、前記裏材の非被覆部分を画定する、項目１〜１４のいずれか一項に記載の創傷ドレッシングシステム。
[１６]
前記ドレッシング支持層は、前記第１のセクションの第１の内側スポークと、前記第２のセクションの第２の内側スポークを含み、
該第１の内側スポーク及び該第２の内側スポークはいずれも、目印の線を含み、
該第１の内側スポークは、該第２の内側スポークと反対方向に、前記長手方向軸線から離れるように延び、
該目印の線によって画定された線に沿って前記システムを切断することにより、ほぼ等しい寸法のより小さい創傷ドレッシングシステムが２つ作製される、項目１２又はその従属項目のいずれか一項に記載の創傷ドレッシングシステム。
[１７]
前記裏材の前記第２の主表面上に接着防止領域を更に含み、前記支持層は、該接着防止領域において、前記裏材の前記第２の主表面に接着されない、項目１〜１６のいずれか一項に記載の創傷ドレッシングシステム。
[１８]
前記間隙は、ドレッシング支持層の対称軸を形成する、項目１〜１７のいずれか一項に記載の創傷ドレッシングシステム。
[１９]
項目１〜１８のいずれか一項に記載の創傷ドレッシングシステムを分割することであって、前記創傷ドレッシングシステムを分割することは、前記間隙によって実質的に画定される線に沿って前記創傷ドレッシングを分割して、複数の切り取られた創傷ドレッシングシステムを作製することを含み、各切り取られた創傷ドレッシングシステムは、切り取られた創傷ドレッシングと、少なくとも１つの外周支持層タブを含む、分割することと、
該切り取られた創傷ドレッシングシステムのうちの１つの該切り取られた創傷ドレッシングを処置部位に適用することと、を含む、方法。
[２０]
少なくとも１つの視認可能な目印に沿って前記複数の切り取られた創傷ドレッシングシステムのうちの１つを分割して、２回切り取られた創傷ドレッシングシステムを作製することを更に含み、該２回切り取られた創傷ドレッシングシステムは、２回切り取られた創傷ドレッシングと、少なくとも１つの外周支持層タブを含み、前記切り取られた創傷ドレッシングシステムのうちの１つの前記切り取られた創傷ドレッシングを適用することは、該２回切り取られた創傷ドレッシングシステムのうちの１つの該２回切り取られた創傷ドレッシングを適用することを含む、項目１２又はその従属項目のいずれか一項に従属する場合の項目１８に記載の方法。
【手続補正２】
【補正対象書類名】特許請求の範囲
【補正対象項目名】全文
【補正方法】変更
【補正の内容】
【特許請求の範囲】
【請求項１】
創傷ドレッシングシステムであって、
第１の端部と、該第１の端部の反対側の第２の端部と、該第１の端部から該第２の端部へと延びる長手方向軸線と、を有する、創傷ドレッシングであって、該創傷ドレッシングは、
弾性フィルム裏材であって、該裏材は、第１の主表面と、該第１の主表面の反対側の第２の主表面と、第１及び第２の側縁部を含む外周部と、を含み、該側縁部は、該第１の端部から該第２の端部へと延びる、弾性フィルム裏材と、
該第１の主表面上に配置される粘着剤と、を含む、創傷ドレッシングと、
該裏材の該第２の主表面上に取り外し可能に取り付けられる、並置された第１及び第２のセクションを含むドレッシング支持層であって、該並置された第１及び第２のセクションは、該セクション間に間隙を画定し、該間隙は、実質的に該第１の端部から該第２の端部へと延びる、ドレッシング支持層と、を含み、
各セクションは、該第１の端部周辺から該第２の端部周辺に延びる内側部分と、そこから側縁部に向かって延びる少なくとも４つのスポークと、を含み、該少なくとも４つのスポークは、該第１の端部において、実質的に該外周部へと延びる第１の外側スポークと、該第２の端部において、実質的に外周部へと延びる第２の外側スポークと、それらの間に配置された少なくとも２つの離間した内側スポークと、を含み、
各セクションの該少なくとも４つのスポークのうちの少なくとも２つは、該側縁部を超えて延びて、外周支持層タブを形成し、
該ドレッシング支持層は、該裏材の複数の被覆部分及び非被覆部分を画定する、創傷ドレッシングシステム。
【請求項２】
前記ドレッシング支持層は、前記裏材と重なり、かつ前記内側部分から離間したブリッジ部材を含み、該ブリッジ部材は、第１のスポークを該第１のスポークに隣接する第２のスポークに連結し、該第１のスポーク、該第２のスポーク、該内側部分及び該ブリッジ部材は、前記裏材の非被覆部分を画定する、請求項１に記載の創傷ドレッシングシステム。
【国際調査報告】
2017500970.tif 000030
2017500970.tif 000031
2017500970.tif 000032
2017500970.tif 000033